(57)【要約】端局間を複数の光ファイバ伝送路で接続する海底光ケーブルシステムにおいて、海底光分岐装置と分岐局との間の構成要素をできるだけ増加させずに、指定された光ファイバ伝送路を分岐用の光ファイバ伝送路に接続させる。海底光分岐装置１は、制御部（１ａ）及び切替部（１ｂ）を備える。切替部（１ｂ）は、第１端局に接続する複数の第１光ファイバ伝送路と、第２端局に接続する複数の第２光ファイバ伝送路と、第３端局に接続する第３光ファイバ伝送路と、に接続し、波長多重光信号の伝送経路を切り替える。制御部（１ａ）は切替部（１ｂ）による伝送経路の切り替えを制御する。切替部（１ｂ）は、上記複数の第１光ファイバ伝送路のそれぞれを上記複数の第２光ファイバ伝送路のそれぞれに接続する機能を有する。切替部（１ｂ）は、さらに、上記複数の第１光ファイバ伝送路のいずれか１つを、上記第３光ファイバ伝送路に接続するように切り替える機能を有する。
2020194842.tif 000002
【特許請求の範囲】
【請求項１】
第１端局に接続する複数の第１光ファイバ伝送路と、第２端局に接続する複数の第２光ファイバ伝送路と、第３端局に接続する第３光ファイバ伝送路と、に接続し、波長多重光信号の伝送経路を切り替える切替手段と、
前記切替手段による前記伝送経路の切り替えを制御する制御手段と、
を備え、
前記切替手段は、前記複数の第１光ファイバ伝送路のそれぞれを前記複数の第２光ファイバ伝送路のそれぞれに接続する機能と、前記複数の第１光ファイバ伝送路のいずれか１つを、前記第３光ファイバ伝送路に接続するように切り替える機能と、を有する、
海底光分岐装置。
【請求項２】
前記切替手段は、１つの入力経路及び２つの出力経路を有する第１光スイッチと、２つの入力経路及び２つの出力経路を有する第２光スイッチと、を多段に接続した構成を有する、
請求項１に記載の海底光分岐装置。
【請求項３】
前記切替手段は、前記複数の第２光ファイバ伝送路のいずれか１つを、前記第３光ファイバ伝送路に接続するように切り替える機能を有する、
請求項１に記載の海底光分岐装置。
【請求項４】
前記切替手段は、２つの入力経路及び２つの出力経路を有する第２光スイッチと、２つの入力経路及び１つの出力経路を有する第３光スイッチと、を多段に接続した構成を有する、
請求項３に記載の海底光分岐装置。
【請求項５】
前記切替手段は、１つの入力経路及び２つの出力経路を有する第１光スイッチと、２つの入力経路及び２つの出力経路を有する第２光スイッチと、２つの入力経路及び１つの出力経路を有する第３光スイッチと、を多段に接続した構成を有する、
請求項３に記載の海底光分岐装置。
【請求項６】
前記複数の第１光ファイバ伝送路、前記複数の第２光ファイバ伝送路、及び前記第３光ファイバ伝送路におけるそれぞれの光ファイバ伝送路は、前記第１端局側から情報を光伝送するための光ファイバと前記第１端局側へ情報を光伝送するための光ファイバとでなるファイバペアを有する、
請求項１〜５のいずれか１項に記載の海底光分岐装置。
【請求項７】
前記制御手段による前記切替手段の制御は、前記複数の第１光ファイバ伝送路、前記複数の第２光ファイバ伝送路、及び前記第３光ファイバ伝送路におけるそれぞれの光ファイバ伝送路のうち、少なくとも２つ以上の光ファイバ伝送路で光伝送された波長多重光信号から抽出可能な制御信号に基づき実行される、
請求項１〜６のいずれか１項に記載の海底光分岐装置。
【請求項８】
前記第３光ファイバ伝送路には、前記海底光分岐装置と前記第３端局との間に海底設置用の装置である海底装置が接続されている、
請求項１〜７のいずれか１項に記載の海底光分岐装置。
【請求項９】
前記海底装置は、後段に出力する波長を選択する機能を有する合分波装置である、
請求項８に記載の海底光分岐装置。
【請求項１０】
前記第３光ファイバ伝送路には、前記海底装置として、後段に出力する波長を選択する機能を有する合分波装置と、前記合分波装置の前記第３端局側に配された中継装置と、が接続されている、
請求項８に記載の海底光分岐装置。
【請求項１１】
前記切替手段は、
さらに、前記第３端局に接続する第４光ファイバ伝送路に接続されており、且つ、
前記複数の第１光ファイバ伝送路のいずれか１つを、前記第４光ファイバ伝送路に接続するように切り替える機能を有する、
請求項１〜１０のいずれか１項に記載の海底光分岐装置。
【請求項１２】
前記切替手段は、前記海底光分岐装置の本体とは別筐体として前記第１端局側に備えられた第１切替装置と、前記海底光分岐装置の本体及び前記第１切替装置とは別筐体として前記第２端局側に備えられた第２切替装置と、を有する、
請求項１〜１１のいずれか１項に記載の海底光分岐装置。
【請求項１３】
第１端局と、
第２端局と、
第３端局と、
海底光分岐装置と、
前記第１端局に前記海底光分岐装置を接続する複数の第１光ファイバ伝送路と、
前記第２端局に前記海底光分岐装置を接続する複数の第２光ファイバ伝送路と、
前記第３端局に前記海底光分岐装置を接続する第３光ファイバ伝送路と、
を備え、
前記海底光分岐装置は、
前記複数の第１光ファイバ伝送路と前記複数の第２光ファイバ伝送路と前記第３光ファイバ伝送路とに接続し、波長多重光信号の伝送経路を切り替える切替手段と、
前記切替手段による前記伝送経路の切り替えを制御する制御手段と、
を備え、
前記切替手段は、前記複数の第１光ファイバ伝送路のそれぞれを前記複数の第２光ファイバ伝送路のそれぞれに接続する機能と、前記複数の第１光ファイバ伝送路のいずれか１つを、前記第３光ファイバ伝送路に接続するように切り替える機能と、を有する、
海底光ケーブルシステム。
【請求項１４】
前記切替手段は、１つの入力経路及び２つの出力経路を有する第１光スイッチと、２つの入力経路及び２つの出力経路を有する第２光スイッチと、を多段に接続した構成を有する、
請求項１３に記載の海底光ケーブルシステム。
【請求項１５】
前記切替手段は、前記複数の第２光ファイバ伝送路のいずれか１つを、前記第３光ファイバ伝送路に接続するように切り替える機能を有する、
請求項１３に記載の海底光ケーブルシステム。
【請求項１６】
前記切替手段は、２つの入力経路及び２つの出力経路を有する第２光スイッチと、２つの入力経路及び１つの出力経路を有する第３光スイッチと、を多段に接続した構成を有する、
請求項１５に記載の海底光ケーブルシステム。
【請求項１７】
前記切替手段は、１つの入力経路及び２つの出力経路を有する第１光スイッチと、２つの入力経路及び２つの出力経路を有する第２光スイッチと、２つの入力経路及び１つの出力経路を有する第３光スイッチと、を多段に接続した構成を有する、
請求項１５に記載の海底光ケーブルシステム。
【請求項１８】
前記複数の第１光ファイバ伝送路、前記複数の第２光ファイバ伝送路、及び前記第３光ファイバ伝送路におけるそれぞれの光ファイバ伝送路は、前記第１端局側から情報を光伝送するための光ファイバと前記第１端局側へ情報を光伝送するための光ファイバとでなるファイバペアを有する、
請求項１３〜１７のいずれか１項に記載の海底光ケーブルシステム。
【請求項１９】
前記制御手段による前記切替手段の制御は、前記複数の第１光ファイバ伝送路、前記複数の第２光ファイバ伝送路、及び前記第３光ファイバ伝送路におけるそれぞれの光ファイバ伝送路のうち、少なくとも２つ以上の光ファイバ伝送路で光伝送された波長多重光信号から抽出可能な制御信号に基づき実行される、
請求項１３〜１８のいずれか１項に記載の海底光ケーブルシステム。
【請求項２０】
前記第３光ファイバ伝送路における、前記海底光分岐装置と前記第３端局との間に接続された海底設置用の装置である海底装置を備える、
請求項１３〜１９のいずれか１項に記載の海底光ケーブルシステム。
【請求項２１】
前記海底装置は、後段に出力する波長を選択する機能を有する合分波装置である、
請求項２０に記載の海底光ケーブルシステム。
【請求項２２】
前記第３光ファイバ伝送路に接続された前記海底装置として、後段に出力する波長を選択する機能を有する合分波装置と、前記合分波装置の前記第３端局側に接続された中継装置と、を備える、
請求項２０に記載の海底光ケーブルシステム。
【請求項２３】
前記切替手段は、
さらに、前記第３端局に接続する第４光ファイバ伝送路に接続されており、且つ、
前記複数の第１光ファイバ伝送路のいずれか１つを、前記第４光ファイバ伝送路に接続するように切り替える機能を有する、
請求項１３〜２２のいずれか１項に記載の海底光ケーブルシステム。
【請求項２４】
前記切替手段は、前記海底光分岐装置の本体とは別筐体として前記第１端局側に備えられた第１切替装置と、前記海底光分岐装置の本体及び前記第１切替装置とは別筐体として前記第２端局側に備えられた第２切替装置と、を有する、
請求項１３〜２３のいずれか１項に記載の海底光ケーブルシステム。
【請求項２５】
第１端局に海底光分岐装置を接続する複数の第１光ファイバ伝送路と、第２端局に前記海底光分岐装置を接続する複数の第２光ファイバ伝送路と、第３端局に前記海底光分岐装置を接続する第３光ファイバ伝送路と、に接続された、前記海底光分岐装置内の切替手段を制御し、波長多重光信号の伝送経路を切り替える制御ステップを備え、
前記制御ステップは、前記複数の第１光ファイバ伝送路のそれぞれを前記複数の第２光ファイバ伝送路のそれぞれに接続するステップと、前記複数の第１光ファイバ伝送路のいずれか１つを、前記第３光ファイバ伝送路に接続するように切り替えるステップと、を有する、
切替方法。
【請求項２６】
前記切替手段は、１つの入力経路及び２つの出力経路を有する第１光スイッチと、２つの入力経路及び２つの出力経路を有する第２光スイッチと、を多段に接続した構成を有し、
前記制御ステップは、前記第１光スイッチ及び前記第２光スイッチを制御することで、前記伝送経路を切り替える、
請求項２５に記載の切替方法。
【請求項２７】
前記制御ステップは、前記複数の第２光ファイバ伝送路のいずれか１つを、前記第３光ファイバ伝送路に接続するように切り替えるステップを有する、
請求項２５に記載の切替方法。
【請求項２８】
前記切替手段は、２つの入力経路及び２つの出力経路を有する第２光スイッチと、２つの入力経路及び１つの出力経路を有する第３光スイッチと、を多段に接続した構成を有し、
前記制御ステップは、前記第２光スイッチ及び前記第３光スイッチを制御することで、前記伝送経路を切り替える、
請求項２７に記載の切替方法。
【請求項２９】
前記切替手段は、１つの入力経路及び２つの出力経路を有する第１光スイッチと、２つの入力経路及び２つの出力経路を有する第２光スイッチと、２つの入力経路及び１つの出力経路を有する第３光スイッチと、を多段に接続した構成を有し、
前記制御ステップは、前記第１光スイッチ、前記第２光スイッチ、及び前記第３光スイッチを制御することで、前記伝送経路を切り替える、
請求項２７に記載の切替方法。
【請求項３０】
前記複数の第１光ファイバ伝送路、前記複数の第２光ファイバ伝送路、及び前記第３光ファイバ伝送路におけるそれぞれの光ファイバ伝送路は、前記第１端局側から情報を光伝送するための光ファイバと前記第１端局側へ情報を光伝送するための光ファイバとでなるファイバペアを有する、
請求項２５〜２９のいずれか１項に記載の切替方法。
【請求項３１】
前記制御ステップは、前記複数の第１光ファイバ伝送路、前記複数の第２光ファイバ伝送路、及び前記第３光ファイバ伝送路におけるそれぞれの光ファイバ伝送路のうち、少なくとも２つ以上の光ファイバ伝送路で光伝送された波長多重光信号から抽出可能な制御信号に基づき実行される、
請求項２５〜３０のいずれか１項に記載の切替方法。
【請求項３２】
前記第３光ファイバ伝送路には、前記海底光分岐装置と前記第３端局との間に海底設置用の装置である海底装置が接続されている、
請求項２５〜３１のいずれか１項に記載の切替方法。
【請求項３３】
前記海底装置は、後段に出力する波長を選択する機能を有する合分波装置である、
請求項３２に記載の切替方法。
【請求項３４】
前記第３光ファイバ伝送路には、前記海底装置として、後段に出力する波長を選択する機能を有する合分波装置と、前記合分波装置の前記第３端局側に配された中継装置と、が接続されている、
請求項３２に記載の切替方法。
【請求項３５】
前記切替手段は、さらに、前記第３端局に接続する第４光ファイバ伝送路に接続されており、
前記制御ステップは、前記複数の第１光ファイバ伝送路のいずれか１つを、前記第４光ファイバ伝送路に接続するように切り替えるステップを有する、
請求項２５〜３４のいずれか１項に記載の切替方法。
【請求項３６】
前記切替手段は、前記海底光分岐装置の本体とは別筐体として前記第１端局側に備えられた第１切替装置と、前記海底光分岐装置の本体及び前記第１切替装置とは別筐体として前記第２端局側に備えられた第２切替装置と、を有する、
請求項２５〜３５のいずれか１項に記載の切替方法。
【請求項３７】
海底光分岐装置に備えられた制御コンピュータに実行させるためのプログラムが格納された非一時的なコンピュータ可読媒体であって、
前記プログラムは、
第１端局に前記海底光分岐装置を接続する複数の第１光ファイバ伝送路と、第２端局に前記海底光分岐装置を接続する複数の第２光ファイバ伝送路と、第３端局に前記海底光分岐装置を接続する第３光ファイバ伝送路と、に接続された、前記海底光分岐装置内の切替手段を制御し、波長多重光信号の伝送経路を切り替える制御ステップを、実行させるためのプログラムであって、
前記制御ステップは、前記複数の第１光ファイバ伝送路のそれぞれを前記複数の第２光ファイバ伝送路のそれぞれに接続するステップと、前記複数の第１光ファイバ伝送路のいずれか１つを、前記第３光ファイバ伝送路に接続するように切り替えるステップと、を有する、
非一時的なコンピュータ可読媒体。
【発明の詳細な説明】
【技術分野】
【０００１】
本開示は、海底光分岐装置、海底光ケーブルシステム、切替方法、及びプログラムに関する。
【背景技術】
【０００２】
海底光ケーブルシステムでは、陸上の端局に設けられた光伝送装置同士が、海底光ケーブルを介して波長多重光信号の伝送を行う。また、第１端局と第２端局とを接続する海底光ケーブルシステムでは、海底光ケーブルの途中に海底光分岐装置を設置し、その海底光分岐装置に海底光ケーブルを介して第３端局を接続するように構成することもできる。これにより、第１端局又は第２端局が第３端局と光通信を行うことができる。【０００３】
特許文献１には、伝送端局装置間を結ぶ主伝送路の間に挿入される分岐装置（光海中分岐装置）が記載されている。特許文献１に記載の分岐装置では、主伝送路を伝送されてきた波長多重光信号を波長毎に分離し、分離された光信号の伝送方向を、主伝送路と分岐局への分岐伝送路との間で切り替えている。【０００４】
また、特許文献２には、第１の地点と第２の地点を結ぶ光ファイバペアを第３の地点に向けて分岐する分岐装置（光海中分岐装置）が記載されている。特許文献２に記載の分岐装置では、分岐されたファイバペアを含む分岐伝送系に障害が発生したとき、伝送信号の帯域外波長を用いて主伝送路で伝送された制御信号に基づき、第３の地点への分岐なしに第１の地点と第２の地点との間を相互に直接連結する。
【先行技術文献】
【特許文献】
【０００５】
【特許文献１】特開平０９−２８９４８８号公報
【特許文献２】特開平１０−１５０４０９号公報
【発明の概要】
【発明が解決しようとする課題】
【０００６】
ところで、海底光ケーブルシステムにおいては、伝送量の増加等に対応するために、主伝送路以外の伝送路を設けておくこと、つまり複数の光ファイバ伝送路で端局間を接続しておくことができる。このようなシステムにおいても海底光分岐装置を挿入することが望まれ、さらには、この海底光分岐装置において、分岐局との間の構成要素をできるだけ増加させずに、複数の光ファイバ伝送路のうちの指定伝送路を分岐局へ分岐できるようにすることが望まれる。なお、特許文献１，２に記載の技術では、主伝送路以外の伝送路を分岐局へ分岐させること、つまり主伝送路以外の伝送路を分岐伝送路に接続させることは想定されていない。【０００７】
本開示の目的は、上記課題を解決する海底光分岐装置、海底光ケーブルシステム、切替方法、及びプログラムを提供することにある。上記課題は、端局間を複数の光ファイバ伝送路で接続する海底光ケーブルシステムにおいて、海底光分岐装置と分岐局との間の構成要素をできるだけ増加させずに、指定された光ファイバ伝送路を分岐用の光ファイバ伝送路に接続させる、というものである。
【課題を解決するための手段】
【０００８】
本開示の第１の態様に係る海底光分岐装置は、第１端局に接続する複数の第１光ファイバ伝送路と、第２端局に接続する複数の第２光ファイバ伝送路と、第３端局に接続する第３光ファイバ伝送路と、に接続し、波長多重光信号の伝送経路を切り替える切替部と、前記切替部による前記伝送経路の切り替えを制御する制御部と、を備え、前記切替部は、前記複数の第１光ファイバ伝送路のそれぞれを前記複数の第２光ファイバ伝送路のそれぞれに接続する機能と、前記複数の第１光ファイバ伝送路のいずれか１つを、前記第３光ファイバ伝送路に接続するように切り替える機能と、を有する、ものである。【０００９】
本開示の第２の態様に係る海底光ケーブルシステムは、第１端局と、第２端局と、第３端局と、海底光分岐装置と、前記第１端局に前記海底光分岐装置を接続する複数の第１光ファイバ伝送路と、前記第２端局に前記海底光分岐装置を接続する複数の第２光ファイバ伝送路と、前記第３端局に前記海底光分岐装置を接続する第３光ファイバ伝送路と、を備え、前記海底光分岐装置は、前記複数の第１光ファイバ伝送路と前記複数の第２光ファイバ伝送路と前記第３光ファイバ伝送路とに接続し、波長多重光信号の伝送経路を切り替える切替部と、前記切替部による前記伝送経路の切り替えを制御する制御部と、を備え、前記切替部は、前記複数の第１光ファイバ伝送路のそれぞれを前記複数の第２光ファイバ伝送路のそれぞれに接続する機能と、前記複数の第１光ファイバ伝送路のいずれか１つを、前記第３光ファイバ伝送路に接続するように切り替える機能と、を有する、ものである。【００１０】
本開示の第３の態様に係る切替方法は、第１端局に海底光分岐装置を接続する複数の第１光ファイバ伝送路と、第２端局に前記海底光分岐装置を接続する複数の第２光ファイバ伝送路と、第３端局に前記海底光分岐装置を接続する第３光ファイバ伝送路と、に接続された、前記海底光分岐装置内の切替部を制御し、波長多重光信号の伝送経路を切り替える制御ステップを備え、前記制御ステップは、前記複数の第１光ファイバ伝送路のそれぞれを前記複数の第２光ファイバ伝送路のそれぞれに接続するステップと、前記複数の第１光ファイバ伝送路のいずれか１つを、前記第３光ファイバ伝送路に接続するように切り替えるステップと、を有する、ものである。【００１１】
本開示の第４の態様に係るプログラムは、海底光分岐装置に備えられた制御コンピュータに、第１端局に前記海底光分岐装置を接続する複数の第１光ファイバ伝送路と、第２端局に前記海底光分岐装置を接続する複数の第２光ファイバ伝送路と、第３端局に前記海底光分岐装置を接続する第３光ファイバ伝送路と、に接続された、前記海底光分岐装置内の切替部を制御し、波長多重光信号の伝送経路を切り替える制御ステップを、実行させるためのプログラムであって、前記制御ステップは、前記複数の第１光ファイバ伝送路のそれぞれを前記複数の第２光ファイバ伝送路のそれぞれに接続するステップと、前記複数の第１光ファイバ伝送路のいずれか１つを、前記第３光ファイバ伝送路に接続するように切り替えるステップと、を有する、ものである。
【発明の効果】
【００１２】
本開示により、上記課題を解決する海底光分岐装置、海底光ケーブルシステム、切替方法、及びプログラムを提供することができる。即ち、本開示によれば、端局間を複数の光ファイバ伝送路で接続する海底光ケーブルシステムにおいて、海底光分岐装置と分岐局との間の構成要素をできるだけ増加させずに、指定された光ファイバ伝送路を分岐用の光ファイバ伝送路に接続させることができる。
【図面の簡単な説明】
【００１３】
【図１】実施形態１に係る海底光分岐装置の一構成例を示すブロック図である。
【図２】図１の海底光分岐装置を備えた海底光ケーブルシステムの一構成例を示す概略図である。
【図３】実施形態２に係る海底光分岐装置に備えられる切替部の一構成例を示す図である。
【図４】図３の切替部における第１光スイッチの一例を示す図である。
【図５】図３の切替部における第２光スイッチの一例を示す図である。
【図６】実施形態２に係る海底光分岐装置を備えた海底光ケーブルシステムの一構成例を示す図である。
【図７】実施形態２に係る海底光分岐装置を備えた海底光ケーブルシステムの一構成例を示す図である。
【図８】実施形態２に係る海底光分岐装置を備えた海底光ケーブルシステムの一構成例を示す図である。
【図９】図６〜図８の海底光ケーブルシステムの一部の一構成例を示すブロック図である。
【図１０】比較例に係る海底光分岐装置を備えた海底光ケーブルシステムを示す図である。
【図１１】実施形態３に係る海底光分岐装置を備えた海底光ケーブルシステムの一構成例を示す図である。
【図１２】実施形態３に係る海底光分岐装置を備えた海底光ケーブルシステムの一構成例を示す図である。
【図１３】実施形態４に係る海底光分岐装置を備えた海底光ケーブルシステムの一構成例を示す概略図である。
【図１４】実施形態５に係る海底光分岐装置を備えた海底光ケーブルシステムの一構成例を示す概略図である。
【図１５】実施形態６に係る海底光分岐装置を備えた海底光ケーブルシステムの一構成例を示す概略図である。
【図１６】実施形態６に係る海底光分岐装置を備えた海底光ケーブルシステムの一構成例を示す概略図である。
【図１７】実施形態６に係る海底光分岐装置を備えた海底光ケーブルシステムの一構成例を示す概略図である。
【図１８】実施形態６に係る海底光分岐装置を備えた海底光ケーブルシステムの一構成例を示す概略図である。
【図１９】実施形態７に係る海底光分岐装置を備えた海底光ケーブルシステムの一構成例を示す概略図である。
【図２０】海底光分岐装置の一部のハードウェア構成の一例を示す図である。
【発明を実施するための形態】
【００１４】
以下、図面を参照して、実施形態について説明する。なお、実施形態において、同一又は同等の要素には、同一の符号を付し、重複する説明を省略する場合がある。また、以下に説明する図面には一方向性の矢印を描いている図面があるが、この矢印はある信号（データ）の流れの方向を端的に示したもので、双方向性を排除するものではない。
【００１５】
＜実施の形態１＞
実施形態１に係る海底光分岐装置及びそれを備えた海底光ケーブルシステムについて、図１及び図２を参照しながら説明する。図１は、実施形態１に係る海底光分岐装置の一構成例を示すブロック図で、図２は、この海底光分岐装置を備えた海底光ケーブルシステムの一構成例を示す概略図である。
【００１６】
図１に示すように、本実施形態に係る海底光分岐装置１は、制御部１ａ及び切替部１ｂを備え、端局間での光通信を他の端局（分岐端局）側に分岐させるために、つまり光を分岐端局側に分配するために用いることができる。制御部１ａ及び切替部１ｂについては後述する。
【００１７】
また、図２に示すように本実施形態に係る海底光分岐装置１は、第１端局２１に複数の光ファイバ伝送路（以下、第１光ファイバ伝送路）を介し接続され、第２端局２２に複数の光ファイバ伝送路（以下、第２光ファイバ伝送路）を介し接続されることができる。さらに、海底光分岐装置１は、第３端局２３に光ファイバ伝送路（以下、第３光ファイバ伝送路）を介して接続されることができる。
【００１８】
海底光分岐装置１、第１端局２１、第２端局２２、第３端局２３、及びそれらの間を結ぶ光ファイバ伝送路は、本実施形態における海底光ケーブルシステム（以下、本システム）を構成する。なお、各端局は陸上に設置することができ、また、各端局と海底光分岐装置１との間における光ファイバ伝送路は、１本の光ケーブルに収容されて海底に敷設されることができる。例えば、第１端局２１と海底光分岐装置１との間の第１光ファイバ伝送路は、１本の光ケーブルに収容されて海底に敷設されることができる。第２端局２２に接続された第２光ファイバ伝送路、第３端局２３に接続された第３光ファイバ伝送路についても同様である。但し、上記複数の第１光ファイバ伝送路は複数本の光ケーブルに分けて収容されることができ、上記複数の第２光ファイバ伝送路も複数本の光ケーブルに分けて収容されることができる。
【００１９】
本システムは、端局間での光通信を行う光ネットワークシステムであり、その光通信にはＷＤＭ（Wavelength Division Multiplexing）伝送方式が採用される。つまり、本システムは、一芯双方向通信を行うＷＤＭ伝送ネットワークが含まれる波長多重光伝送システムである。例えば、各端局において、合分波器等を備えた光伝送装置を設置しておくことで、光ファイバ伝送路を介した端局間での波長多重通信を行うことができる。
【００２０】
海底光分岐装置１の各構成要素について説明する。
制御部１ａは、切替部１ｂによる伝送経路の切り替えを制御する。制御部１ａは、切替部１ｂに対する切替制御を含め、海底光分岐装置１の全体を制御する部位とすることができる。また、制御部１ａは、切替制御を、例えば光ファイバ伝送路から取得した制御信号に従って実行することができる。光ファイバ伝送路から波長多重信号のうちの特定の波長の光信号を抽出して電気信号に変換することで、このような制御信号を得ることができる。
【００２１】
制御部１ａは、例えば、ＣＰＵ（Central Processing Unit）、作業用メモリ、及び第１海底光分岐装置１の全体を制御するためのプログラムを記憶した不揮発性の記憶装置などによって実現することができる。つまり、制御部１ａは、上記プログラムが実行可能に組み込まれた制御コンピュータを有することができる。また、制御部１ａは、例えば集積回路（Integrated Circuit）によって実現することもできる。
【００２２】
切替部１ｂは、第１端局２１に接続する複数の第１光ファイバ伝送路と、第２端局２２に接続する複数の第２光ファイバ伝送路と、第３端局２３に接続する第３光ファイバ伝送路と、に接続し、波長多重光信号の伝送経路を切り替える。このように、切替部１ｂは、制御部１ａからの制御に従い、伝送経路の接続状態を切り替えることが可能に構成されている。
【００２３】
特に、切替部１ｂは、上記複数の第１光ファイバ伝送路のそれぞれを上記複数の第２光ファイバ伝送路のそれぞれに接続する機能を有する。この機能は、基本的に上記複数の第１光ファイバ伝送路のそれぞれを、上記複数の第２光ファイバ伝送路の予め定められたそれぞれに接続する機能である。つまり、第１光ファイバ伝送路とそれに接続させる第２光ファイバ伝送路との対応関係は予め決めておくことができ、互いに対応する第１光ファイバ伝送路及び第２光ファイバ伝送路のセット毎に、第１端局２１と第２端局２２とが接続されることができる。上記セットは、例えば１つのトランク回線として用いることができ、本システムでは、複数のトランク回線で第１端局２１と第２端局２２とを接続することができる。なお、上記セット毎に、異なる種類のシステムに利用すること、つまりセット毎に異なる機能を有する装置が端局を介して接続されることができる。さらに、第３光ファイバ伝送路についても、上記セットとは異なる種類のシステムに利用することもできる。
【００２４】
そして、本実施形態の主たる特徴の一つとして、切替部１ｂは、さらに、上記複数の第１光ファイバ伝送路のいずれか１つを、上記第３光ファイバ伝送路に接続するように切り替える機能を有する。上記いずれか１つは、制御部１ａが切替部１ｂによる伝送経路の切り替えを制御することで、間接的に指定されることができる。なお、他の実施形態も含め、以下では、このような間接的な指定についても制御部による指定として説明する場合がある。
【００２５】
つまり、切替部１ｂは、上記複数の第１光ファイバ伝送路のいずれか１つを第３光ファイバ伝送路に接続することが可能な構成を有する。そして、切替部１ｂは、上記セットを第３光ファイバ伝送路に分岐させるか否かを制御部１ａにより制御可能となっており、分岐させる場合に第３光ファイバ伝送路をどの第１光ファイバ伝送路に接続するかを、制御部１ａからの指定により制御可能となっている。但し、分岐対象の選択肢に本システムにおける上記複数の第１光ファイバ伝送路の全てが含まれなくてもよく、２以上の第１光ファイバ伝送路から分岐対象を指定できればよい。なお、第３光ファイバ伝送路は、例えば、上述のトランク回線を分岐させるブランチ回線として用いることができる。
【００２６】
無論、切替部１ｂは、このような第３端局２３への切り替えがなされた後、制御部１ａの制御により、それを戻すような接続状態にする機能を有することもできる。つまり、切替部１ｂは、上記複数の第１光ファイバ伝送路のそれぞれを上記複数の第２光ファイバ伝送路のそれぞれに接続するように切り替える機能を有することができる。
【００２７】
本実施形態によれば、端局間を複数の光ファイバ伝送路で接続する海底光ケーブルシステムにおいて、指定された光ファイバ伝送路を分岐用の第３光ファイバ伝送路に接続させること（分岐局へ分岐させること）ができる。したがって、本システムでは、海底の光ケーブル内の光ファイバの破損や、海底光ケーブルの途中に設置された中継器等の海底装置の故障などにより、光通信が途切れるような場面などでも、第３端局へ分岐させることができる。
【００２８】
さらに、本実施形態によれば、このような分岐のために、海底光分岐装置１と分岐局との間の構成要素（第３光ファイバ伝送路以外の伝送路など）をできるだけ増加させずに済む。換言すれば、本システムでは、海底光分岐装置１を上述のような構成とすることで、複数の第１光ファイバ伝送路について分岐回線のための第３光ファイバ伝送路を共有化することができる。例えば、本システムによれば、２以上のトランク回線間で１本のブランチ回線を共有することができる。よって、本システムでは、分岐用の光ファイバ伝送路の本数（海底光分岐装置１と第３端局２３との間の光ケーブル内の芯線数）を少なくすることができる。また、本システムでは、このように本数を少なくすることができることにより、光信号の増幅などの目的で設置するような中継器等の海底装置の数も少なくすることが可能となる。
【００２９】
ここで、海底光分岐装置１における切替方法について、補足する。海底光分岐装置１は、その切替処理を説明したように、次のような制御ステップを備えた切替方法を実行することができる。上記制御ステップは、複数の第１光ファイバ伝送路、複数の第２光ファイバ伝送路、及び第３光ファイバ伝送路に接続された、海底光分岐装置内の切替部１ｂを制御し、波長多重光信号の伝送経路を切り替える。そして、上記制御ステップは、上記複数の第１光ファイバ伝送路のそれぞれを上記複数の第２光ファイバ伝送路のそれぞれに接続するステップを有する。さらに、上記制御ステップは、上記複数の第１光ファイバ伝送路のいずれか１つを、上記第３光ファイバ伝送路に接続するように切り替えるステップを有する。ここで、上記制御ステップは、上記いずれか１つの指定を光信号からの抽出などにより受け付けるステップを有することができる。その他の例については上述した通りであり、また後述する実施形態で説明する例も適用することができる。
【００３０】
ここで、海底光分岐装置１に組み込み可能なプログラムについて、補足する。上述した制御部１ａに組み込まれたプログラムは、上記制御ステップを海底光分岐装置１に備えられた制御コンピュータに実行させるためのものとなる。その他の例については上述した通りであり、また後述する実施形態で説明する例も適用することができる。
【００３１】
＜実施形態２＞
実施形態２について、図３〜図１０を併せて参照しながら、実施形態１との相違点を中心に説明するが、実施形態１で説明した様々な例が適用できる。図３は、実施形態２に係る海底光分岐装置に備えられる切替部の一構成例を示す図である。
【００３２】
本実施形態に係る海底光分岐装置は、図１の海底光分岐装置１における切替部１ｂを図３に示す切替部４０のように構成したものであり、本実施形態においてもその他の部位については図１及び図２を参照しながら説明する。
【００３３】
図３に示すように、本実施形態に係る海底光分岐装置１の切替部４０は、第１光スイッチ４１と第２光スイッチ４２，４３，．．．とを多段に接続した構成を有することができる。ここで、第１光スイッチと第２光スイッチと後述する第３光スイッチとは、互いに入力数（入力経路数）及び出力数（出力経路数）の少なくとも一方が異なるものである。なお、ここで説明する例に限らず、切替部は複数の光スイッチの組合せで構成されることができる。
【００３４】
第１光スイッチ４１は、１つの入力経路及び２つの出力経路を有する光スイッチである。第２光スイッチ４２は、２つの入力経路及び２つの出力経路を有する光スイッチである。第２光スイッチ４３も第２光スイッチ４２と同様の構成を有し、さらに後段（第３端局２３側）に配置される第２光スイッチについても同様である。ここで、入力と出力とは、便宜上、第１端局２１側を情報送信の起点として説明するように区別しているに過ぎず、以下でも適宜、情報送信の起点に基づき説明を行う。
【００３５】
より具体的に説明すると、第１光スイッチ４１は、１本目の第１光ファイバ伝送路を入力とし、１本目の第２光ファイバ伝送路と第２光スイッチ４２とを出力とし、出力をいずれか一方に切り替え可能となっている。第２光スイッチ４２は、２本目の第１光ファイバ伝送路と第１光スイッチ４１の出力とを入力とし、２本目の第２光ファイバ伝送路と第２光スイッチ４３とを出力とし、入力をいずれか一方に切り替え可能で且つ出力をいずれか一方に切り替え可能となっている。第２光スイッチ４３は、３本目の第１光ファイバ伝送路と第２光スイッチ４２の出力とを入力とし、３本目の第２光ファイバ伝送路と後段の第２光スイッチとを出力とし、入力をいずれか一方に切り替え可能で且つ出力をいずれか一方に切り替え可能となっている。説明を省略するが、それより後段（第３端局２３側）の第２光スイッチも第２光スイッチ４３と同様の接続形態となっており、入力、出力ともに２つの経路から選択可能となっている。
【００３６】
このような多段に配して接続した構成において、第１光スイッチは第１光スイッチ４１で例示するように１つとすることができる。第２光スイッチの数は、本システムに備えられる第１光ファイバ伝送路の数（後述のファイバペアを採用する場合にはその２倍の数）から１を差し引いたものとすることができる。つまり、第２光スイッチ４３及びさらに後段の第２光スイッチは、上述のセットの数に合わせて設けられるものであり、例えばこれらは２セットの場合に設ける必要がない。なお、上述のセットとして本システムに備えられる数の第１光ファイバ伝送路を対象として説明しており、また、セットに属する各第１光ファイバ伝送路が全て分岐の対象であるものとして説明としている。
【００３７】
ここで、図４及び図５を参照しながら、第１光スイッチ及び第２光スイッチの例を説明する。図４は、切替部４０における第１光スイッチの一例を示す図で、図５は、切替部４０における第２光スイッチの一例を示す図である。図４及び図５では、接続状態（光が導通する状態）の経路、非接続状態（断線状態）の経路をそれぞれ実線、破線で示している。いずれの状態も、制御部１ａから各光スイッチに対し伝送経路を切り替える制御を行うことで実現できる。
【００３８】
第１光スイッチ４１は、図４に示すように、端子ａ、端子ｂ、及び端子ｃを内部に有することができ、端子ａを入力端子、端子ｂ及び端子ｃを出力端子とすることができる。端子ａは１本目の第１光ファイバ伝送路に、端子ｂは１本目の第２光ファイバ伝送路に、端子ｃは第２光スイッチ４２の入力端子に、それぞれ接続しておくことができる。第１光スイッチ４１における１つの切替状態では、図４の左側の状態で示すように、端子ａと端子ｂとが接続することで、１本目の第１光ファイバ伝送路と１本目の第２光ファイバ伝送路とが接続され、第１端局２１と第２端局２２とを接続させることができる。第１光スイッチ４１における他の切替状態では、図４の右側の状態で示すように、端子ａと端子ｃとが接続することで、１本目の第１光ファイバ伝送路と第２光スイッチ４２の入力端子（図５の端子ｃ）とが接続される。これにより、第２光スイッチ４２及びそれより後段の第２光スイッチの切替状態を第３端局２３に接続できるような状態にしておくことで、１本目の第１光ファイバ伝送路及び第３光ファイバ伝送路を含む経路により第１端局２１と第３端局２３とを接続できる。
【００３９】
第２光スイッチ４２は、図５に示すように、端子ａ〜ｄを内部に有することができ、端子ａ及び端子ｃを入力端子、端子ｂ及び端子ｄを出力端子とすることができる。第２光スイッチ４２において、端子ａは２本目の第１光ファイバ伝送路に、端子ｂは２本目の第２光ファイバ伝送路に、端子ｃは第１光スイッチ４１の端子ｃに、端子ｄは第２光スイッチ４３の入力端子に、それぞれ接続しておくことができる。
【００４０】
第２光スイッチ４２における１つの切替状態では、図５の左側の状態で示すように、端子ａと端子ｂとが接続することで、２本目の第１光ファイバ伝送路と２本目の第２光ファイバ伝送路とが接続され、第１端局２１と第２端局２２とを接続させることができる。また、上記１つの切替状態では、端子ｃと端子ｄとが接続することで、第１光スイッチ４１の端子ｃと第２光スイッチ４３の入力端子とが接続される。また、このとき、第１光スイッチ４１の端子ａと端子ｃとを非接続状態にしておくこと、つまり１本目のセットで第１端局２１と第２端局２２とを接続しておくことで、第２光スイッチ４２の端子ｃへの入力がない状態にしておくことができる。若しくは、第１光スイッチ４１の端子ａと端子ｃとを接続しておくことで、１本目の第１光ファイバ伝送路と第３端局２３側へ続く第２光スイッチ４３の入力端子とを接続しておくことができる。そして、第２光スイッチ４３及びそれより後段のスイッチ状態を第３端局２３に接続できるような状態にしておくことで、１本目の第１光ファイバ伝送路及び第３光ファイバ伝送路を含む伝送経路により第１端局２１と第３端局２３とを接続させることができる。
【００４１】
第２光スイッチ４２における他の切替状態では、図５の右側の状態で示すように、端子ａと端子ｄとが接続することで、２本目の第１光ファイバ伝送路と第２光スイッチ４３の入力端子とが接続される。これにより、第２光スイッチ４３及びそれより後段の第２光スイッチの切替状態を第３端局２３に接続できるような状態にしておくことで、２本目の第１光ファイバ伝送路及び第３光ファイバ伝送路を含む経路により第１端局２１と第３端局２３とを接続できる。
【００４２】
以上のように、第１光スイッチ４１が第２光スイッチ４２と接続するとき、第２光スイッチ４２は第１光スイッチ４１からの入力を分岐用の第３光ファイバ伝送路に出力するように切り替える。このとき、２番目の第２光ファイバ伝送路は分岐用の第３光ファイバ伝送路とは接続しないようにする。他方、第１光スイッチ４１が第２光スイッチ４２と接続しないとき、第２光スイッチ４２は、第２光ファイバ伝送路を分岐用の第３光ファイバ伝送路と接続するように制御することも、接続しないように制御することもできる。
【００４３】
次に図６〜図９等を併せて参照しながら、本システムの詳細な構成例について説明する。図６〜図８は、本システムの一構成例を示す図で、互いに接続状態が異なるものである。図６〜図８においては、第１端局２１、第２端局２２、第３端局２３、及び海底光分岐装置１を、それぞれ端局Ａ（２１）、端局Ｂ（２２）、端局Ｃ（２３）、及び分岐装置１０で例示する。例えば、本システムでは、光通信を行う端局Ａ，Ｂ，Ｃが陸上に設置され、それぞれ端局Ａ（２１）及び端局Ｂ（２２）をトランク回線側、端局Ｃ（２３）をブランチ回線側として、分岐装置１０により伝送経路の切り替えが可能になっている。
【００４４】
本システムでは、図６で例示するように、端局Ａ（２１）と分岐装置１０との間に１又は複数の中継器Ａ（２４）を挿入することができる。同様に、端局Ｂ（２２）と分岐装置１０との間に１又は複数の中継器Ｂ（２５）を挿入すること、並びに端局Ｃ（２３）と分岐装置１０との間に１又は複数の中継器Ｃ（２６）を挿入することができる。各中継器（中継装置）は、海底設置用の装置（海底装置）の一例であり、入力された光信号を増幅させる光増幅器を備えることができる。また、各中継器は、海底ＲＯＡＤＭ（Reconfigurable Optical Add/Drop Multiplexer）装置とすること、又はそのＲＯＡＤＭ機能を備えることができる。
【００４５】
特に、本実施形態のような分岐用の光ファイバ伝送路を共用できる効果は、上記第３光ファイバ伝送路において分岐装置１０と第３端局との間に海底装置が接続されている場合、海底装置の数を低減させることができるため、有益であると言える。なお、海底装置が必要な環境としては、例えば中継器が必要なような端局間が長距離である場合などが挙げられ、環境に依っては必要となる海底装置の数や種類が変わってくることもある。
【００４６】
また、本システムは、上記複数の第１光ファイバ伝送路、上記複数の第２光ファイバ伝送路、及び第３光ファイバ伝送路におけるそれぞれの光ファイバ伝送路は、ファイバペアを有するように構成することができる。このファイバペアは、上り用の光ファイバと下り用の光ファイバとの一対で構成されることができる。以下では便宜上、端局Ａ（２１）側から端局Ｂ（２２）へ、或いは端局Ｃ（２３）を介して端局Ｂ（２２）へ情報をアップロードすることを想定して、その方向を上り方向として定義して説明を行う。
【００４７】
また、図６では、端局Ａ（２１）と端局Ｂ（２２）とを接続するために、２つのファイバペアを有する例を挙げるが、これは上述のセットの数が２つである例に相当する。このうちの一方のファイバペアは、第１の上り信号ＦＰ１Ｕ用の光ファイバと第１の下り信号ＦＰ１Ｄ用の光ファイバとで構成され、１つ目の第１光ファイバ伝送路及び１つ目の第２光ファイバ伝送路を含むものとして説明する。他方のファイバペアは、第２の上り信号ＦＰ２Ｕ用の光ファイバと第２の下り信号ＦＰ２Ｄ用の光ファイバとで構成され、２つ目の第１光ファイバ伝送路及び２つ目の第２光ファイバ伝送路を含むものとする。
【００４８】
第３光ファイバ伝送路となるファイバペアは、共有のファイバペアとして用いられる。つまり、このファイバペアは、図６に示すように、第１の上り信号ＦＰ１Ｕ用の光ファイバと第１の下り信号ＦＰ１Ｄ用の光ファイバとして用いられることができる。また、このファイバペアは、図７に示すように、第２の上り信号ＦＰ２Ｕ用の光ファイバと第２の下り信号ＦＰ２Ｄ用の光ファイバとして用いられることもできる。いずれの用途で用いるかは、切替部４０で例示した切替部での切り替えにより変更することができる。
【００４９】
なお、ここでは、上り用の光通信と下り用の光通信とが異なる経路での通信（例えば異なる端局を経由させた通信）とならないように、ファイバペアに含まれる両光ファイバを１つの光ファイバ伝送路として説明している。但し、ファイバペアにおける各光ファイバを別々の光ファイバ伝送路と見做すこともできる。
【００５０】
上述のような本システムに組み込まれる分岐装置１０について説明する。
分岐装置１０は、図示しない制御部を備えることができ、この制御部は図１及び図２の制御部１ａに相当するため、以下では制御部１ａとして説明する。
【００５１】
また、分岐装置１０は、１入力２出力で動作する光スイッチ１１−１，６、２入力１出力で動作する光スイッチ１１−２，５、及び、２入力２出力で動作する光スイッチ１１−３，４，７，８を備えることができる。光スイッチ１１−１，６は、図４の第１光スイッチ４１に相当し、光スイッチ１１−３，４，７，８は、図５の第２光スイッチ４２等に相当する。光スイッチ１１−２，５は、第１光スイッチ４１の入力と出力を入れ替えたものに相当し、２つの入力経路及び１つの出力経路を有する第３光スイッチの例である。なお、第１〜第３光スイッチの切替状態の変化については、図４及び図５を参照して説明した通りである。以下、各光スイッチを含む切替部については切替部４０として説明する。なお、制御部１ａによる切替部４０に対する切替制御については後述する。
【００５２】
図６では、端局Ａ（２１）から送信／受信される信号ＦＰ１Ｕ／ＦＰ１Ｄの媒体となる１つ目のファイバペアは、端局Ａ（２１）と端局Ｃ（２３）との間での双方向通信と、端局Ｃ（２３）と端局Ｂ（２２）との間での双方向通信と、を行うように接続されている。以下、前者を第１双方向通信、後者を第２双方向通信と称して説明する。また、図６では、端局Ａ（２１）から送信／受信される信号ＦＰ２Ｕ／ＦＰ２Ｄの媒体となる２つ目のファイバペアは、端局Ａ（２１）と端局Ｂ（２２）との間での双方向通信を行うように接続されている。以下、この双方向通信を第３双方向通信と称して説明する。
【００５３】
第１双方向通信は、光スイッチ１１−１，３及び光スイッチ１１−５，７を図６に示したように切り替えておくことで実現できる。光スイッチ１１−１，３は、端局Ａ（２１）から出力（送信）される信号ＦＰ１Ｕを端局Ｃ（２３）側へ落とす（導通させる）ように切り替える。これにより、端局Ａ（２１）から送信された信号ＦＰ１Ｕを含む光は、中継器Ａ（２４）を通じて分岐装置１０内へ入り光スイッチ１１−１の端子ａ−ｃ間、光スイッチ１１−３の端子ｃ−ｄ間を通じて中継器Ｃ（２６）、端局Ｃ（２３）へと導通される。逆方向について、光スイッチ１１−５，７は、端局Ｃ（２３）から送信される信号ＦＰ１Ｄを端局Ａ（２１）側に導通させるように切り替える。これにより、端局Ｃ（２３）から送信された信号ＦＰ１Ｄを含む光は、中継器Ｃ（２６）、分岐装置１０内の光スイッチ１１−７の端子ｄ−ｃ間、及び光スイッチ１１−５の端子ｃ−ａ間を通じて、中継器Ａ（２４）、端局Ａ（２１）へと導通される。
【００５４】
第２方向通信は、光スイッチ１１−２，４及び光スイッチ１１−６，８を図６に示したように切り替えておくことで実現できる。光スイッチ１１−２，４は、端局Ｃ（２３）から送信される信号ＦＰ１Ｕを端局Ｂ（２２）側へ導通させるように切り替える。これにより、端局Ｃ（２３）から送信された信号ＦＰ１Ｕを含む光は、中継器Ｃ（２６）、分岐装置１０内の光スイッチ１１−４の端子ｄ−ｃ間、及び光スイッチ１１−２の端子ｃ−ａ間を通じて、中継器Ｂ（２５）、端局Ｂ（２２）へと導通される。逆方向について、光スイッチ１１−６，８は、端局Ｂ（２２）から送信される信号ＦＰ１Ｄを端局Ｃ（２３）側へ落とす（導通させる）ように切り替える。これにより、端局Ｂ（２２）から送信された信号ＦＰ１Ｄを含む光は、中継器Ｂ（２５）を通じて分岐装置１０内に入り光スイッチ１１−６の端子ａ−ｃ間、光スイッチ１１−８の端子ｃ−ｄ間を通じて中継器Ｃ（２６）、端局Ｃ（２３）へと導通される。
【００５５】
第３双方向通信は、光スイッチ１１−３，４及び光スイッチ１１−７，８を図６に示したように切り替えておくことで実現できる。光スイッチ１１−３，４は、端局Ａ（２１）から送信される信号ＦＰ２Ｕを端局Ｂ（２２）側へ導通させるように切り替える。これにより、端局Ａ（２１）からの送信信号ＦＰ２Ｕを含む光は、中継器Ａ（２４）を通じて分岐装置１０内へ入り光スイッチ１１−３の端子ａ−ｂ間、光スイッチ１１−４の端子ｂ−ａ間を通じてそのまま導通され、中継器Ｂ（２５）、端局Ｂ（２２）へ向かう。逆方向について、光スイッチ１１−７，８は、端局Ｂ（２２）から送信される信号ＦＰ２Ｄを端局Ａ（２１）側へ導通させるように切り替える。これにより、端局Ｂ（２２）からの送信信号ＦＰ２Ｄを含む光は、中継器Ｂ（２５）を通じて分岐装置１０内に入り光スイッチ１１−８の端子ａ−ｂ間、光スイッチ１１−７の端子ｂ−ａ間を通じてそのまま導通され、中継器Ａ（２４）、端局Ａ（２１）へ向かう。
【００５６】
分岐装置１０は、図６に示した接続状態から図７に示した接続状態に切り替えることができ、またそれを元に戻すこともできる。図７に示す接続状態では、図６に示す接続状態と比べて端局Ｃ（２３）への接続を行うファイバペアが異なり、２つ目のファイバペアとなっている。つまり、図７に示す接続状態は、図６に示す接続状態から、端局Ｃ（２３）に接続するファイバペアを１つ目から２つ目に入れ替えたものである。
【００５７】
図７では、端局Ａ（２１）から送信／受信される信号ＦＰ２Ｕ／ＦＰ２Ｄの媒体となる２つ目のファイバペアは、端局Ａ（２１）と端局Ｃ（２３）との間での双方向通信と、端局Ｃ（２３）と端局Ｂ（２２）との間での双方向通信と、を行うように接続されている。以下、前者を第４双方向通信、後者を第５双方向通信と称して説明する。また、図７では、端局Ａ（２１）から送信／受信される信号ＦＰ１Ｕ／ＦＰ１Ｄの媒体となる１つ目のファイバペアは、端局Ａ（２１）と端局Ｂ（２２）との間での双方向通信を行うように接続されている。以下、この双方向通信を第６双方向通信と称して説明する。
【００５８】
第４双方向通信は、光スイッチ１１−３及び光スイッチ１１−７を図７に示したように切り替えておくことで実現できる。光スイッチ１１−３は、端局Ａ（２１）から送信される信号ＦＰ２Ｕを端局Ｃ（２３）側へ落とす（導通させる）ように切り替える。これにより、端局Ａ（２１）から送信された信号ＦＰ２Ｕを含む光は、中継器Ａ（２４）を通じて分岐装置１０内へ入り光スイッチ１１−３の端子ａ−ｄ間を通じて中継器Ｃ（２６）、端局Ｃ（２３）へと導通される。逆方向について、光スイッチ１１−７は、端局Ｃ（２３）から送信される信号ＦＰ２Ｄを端局Ａ（２１）側に導通させるように切り替える。これにより、端局Ｃ（２３）から送信された信号ＦＰ２Ｄを含む光は、中継器Ｃ（２６）、分岐装置１０内の光スイッチ１１−７の端子ｄ−ａ間を通じて、中継器Ａ（２４）、端局Ａ（２１）へと導通される。
【００５９】
第５方向通信は、光スイッチ１１−４及び光スイッチ１１−８を図７に示したように切り替えておくことで実現できる。光スイッチ１１−４は、端局Ｃ（２３）から送信される信号ＦＰ２Ｕを端局Ｂ（２２）側へ導通させるように切り替える。これにより、端局Ｃ（２３）から送信された信号ＦＰ２Ｕを含む光は、中継器Ｃ（２６）、分岐装置１０内の光スイッチ１１−４の端子ｄ−ａ間を通じて、中継器Ｂ（２５）、端局Ｂ（２２）へと導通される。逆方向について、光スイッチ１１−８は、端局Ｂ（２２）から送信される信号ＦＰ２Ｄを端局Ｃ（２３）側へ落とす（導通させる）ように切り替える。これにより、端局Ｂ（２２）から送信された信号ＦＰ２Ｄを含む光は、中継器Ｂ（２５）を通じて分岐装置１０内に入り光スイッチ１１−８の端子ａ−ｄ間を通じて中継器Ｃ（２６）、端局Ｃ（２３）へと導通される。
【００６０】
第６双方向通信は、光スイッチ１１−１，２及び光スイッチ１１−５，６を図７に示したように切り替えておくことで実現できる。光スイッチ１１−１，２は、端局Ａ（２１）から送信される信号ＦＰ１Ｕを端局Ｂ（２２）側へ導通させるように切り替える。これにより、端局Ａ（２１）からの送信信号ＦＰ１Ｕを含む光は、中継器Ａ（２４）を通じて分岐装置１０内へ入り光スイッチ１１−１の端子ａ−ｂ間、光スイッチ１１−２の端子ｂ−ａ間を通じてそのまま導通され、中継器Ｂ（２５）、端局Ｂ（２２）へ向かう。逆方向について、光スイッチ１１−５，６は、端局Ｂ（２２）から送信される信号ＦＰ１Ｄを端局Ａ（２１）側へ導通させるように切り替える。これにより、端局Ｂ（２２）からの送信信号ＦＰ１Ｄを含む光は、中継器Ｂ（２５）を通じて分岐装置１０内に入り光スイッチ１１−６の端子ａ−ｂ間、光スイッチ１１−５の端子ｂ−ａ間を通じてそのまま導通され、中継器Ａ（２４）、端局Ａ（２１）へ向かう。
【００６１】
また、その詳細は説明しないが、本システムは、例えば、図６の接続状態又は図７の接続状態において、端局Ｃ（２３）と端局Ｂ（２２）との接続は行わないような接続状態とすることもできる。
【００６２】
分岐装置１０は、図６に示した接続状態や図７に示した接続状態などから図８に示す接続状態に切り替えることができ、またそれを元に戻すこともできる。図８に示す接続状態は、基本的な接続状態と言え、いずれのファイバペアでも端局Ｃ（２３）への接続を行わないものである。
【００６３】
図８では、端局Ａ（２１）から送信／受信される信号ＦＰ１Ｕ／ＦＰ１Ｄの媒体となる１つ目のファイバペアは、端局Ａ（２１）と端局Ｂ（２２）との間での双方向通信を行うように接続されている。以下、この双方向通信を第７双方向通信と称して説明する。また、図８では、端局Ａ（２１）から送信／受信される信号ＦＰ２Ｕ／ＦＰ２Ｄの媒体となる２つ目のファイバペアも、端局Ａ（２１）と端局Ｂ（２２）との間での双方向通信を行うように接続されている。以下、この双方向通信を第８双方向通信と称して説明する。
【００６４】
第７双方向通信は、光スイッチ１１−１，２及び光スイッチ１１−５，６を図８に示したように切り替えておくことで実現できる。第７双方向通信は、第６双方向通信と同様に説明ができ、その説明を省略する。
【００６５】
第８双方向通信は、光スイッチ１１−３，４及び光スイッチ１１−７，８を図８に示したように切り替えておくことで実現できる。第８双方向通信は、第３双方向通信と同様に説明ができ、その説明を省略する。
【００６６】
また、端局Ｃ（２３）から端局Ｂ（２２）へ双方向通信（第２双方向通信、第５双方向通信）について説明したように、切替部４０は、第２光ファイバ伝送路を第３光ファイバ伝送路に接続するように制御することができる。つまり、切替部４０は、上記複数の第２光ファイバ伝送路のいずれか１つを、上記第３光ファイバ伝送路に接続するように切り替える機能を有することができる。また、ここでの双方向通信の例のように、切替部４０は、第２光スイッチと第３光スイッチとを多段に接続した構成を有することができ、その場合、これらの第２光スイッチ及び第３光スイッチを制御することで伝送経路を切り替えることができる。
【００６７】
また、図６〜図８の例のように、切替部４０は、複数の第１光ファイバ伝送路及び複数の第２光ファイバ伝送路のいずれか１つを、第３光ファイバ伝送路に接続するように切り替える機能を有することができる。また、図６〜図８の例のように、切替部４０は、第１〜第３光スイッチを多段に接続した構成を有することができ、その場合、これらの光スイッチを制御することで伝送経路を切り替えることができる。
【００６８】
以上のように、図６の接続状態は、端局Ａ（２１）と端局Ｂ（２２）とを結ぶ２つのファイバペアのうち、一方が端局Ｃ（２３）に接続された状態であり、図７の接続状態は、他方が端局Ｃ（２３）に接続された状態である。そして、図８の接続状態は２つのファイバペアの双方が端局Ａ（２１）と端局Ｂ（２２）とを接続した状態である。
【００６９】
上述したように、端局Ａ（２１）と端局Ｂ（２２）とを結ぶファイバペアは１つのトランク回線とすることができ、分岐装置１０と端局Ｃ（２３）とを結ぶファイバペアはブランチ回線とすることができる。つまり、図６〜図８に示したシステムは、２つのトランク回線と１つのブランチ回線とを含むことができる。なお、トランク回線、ブランチ回線の区別は、一般的に電源供給系統や回線長によりなされるが、これに限ったものではない。
【００７０】
このような配置のトランク回線、ブランチ回線の区別に基づき説明する。図６の接続状態は、端局Ａ（２１）を第２のトランク回線で端局Ｂ（２２）に接続し、第１のトランク回線をブランチ回線に接続することで端局Ｃ（２３）を端局Ａ（２１）と端局Ｂ（２２）に接続した状態を指す。図７の接続状態は、端局Ａ（２１）を第１のトランク回線で端局Ｂ（２２）に接続し、第２のトランク回線をブランチ回線に接続することで端局Ｃ（２３）を端局Ａ（２１）と端局Ｂ（２２）に接続した状態を指す。図８の接続状態は、基本的な接続状態として第１のトランク回線及び第２のトランク回線のいずれでも端局Ａ（２１）と端局Ｂ（２２）とを接続した状態を指す。切替部４０では上記基本的な接続状態にするような切り替えも可能である。
【００７１】
このように、本システムでは、端局間（例えばトランク局間）を結ぶ２つの光ファイバ伝送路（例えばトランク回線）間で、他の端局（例えばブランチ局）への伝送路（ブランチ回線）を共有する。この共有により、本システムでは、２つの光ファイバ伝送路のうちいずれか一方の伝送路を、選択的にブランチ回線に接続可能とし、無論、いずれもブランチ回線に接続しない状態とすることもできる。
【００７２】
次に、切替部４０に対する切替制御例、並びに端局Ａ（２１）、端局Ｂ（２２）、及び端局Ｃ（２３）の構成例について、図９を併せて参照しながら説明する。図９は、図６〜図８で例示した本システムの一部の一構成例を示すブロック図である。
【００７３】
図９に示すように、本システムは、各端局に光伝送装置３０を備えることができる。光伝送装置３０は、分岐装置１０に光ファイバ伝送路を介して接続されている。光伝送装置３０は、波長毎の光信号を送信する光送信機３１、それらから各波長の光信号を入力し合波する合波部３２、及び制御信号生成部３３を備えることができる。その他、図示しないが、光伝送装置３０は、分波部及び波長毎の光受信器を備えることができる。なお、分波部は、合波部とともに一体化して合分波部とすることもできる。また、例えば端局Ｃ（２３）には、端局Ａ（２１）との通信用の光伝送装置３０と端局Ｂ（２２）との通信用の光伝送装置３０とを備えることができる。また、端局Ａ（２１）、端局Ｂ（２２）は、ファイバペア毎に光伝送装置３０を備えることもできる。
【００７４】
制御信号生成部３３は、光スイッチ１１−１〜８を制御するための制御信号を生成し、合波部３２はこの制御信号も合波する。この制御信号は、送信対象データが重畳された主信号とは異なる波長（光送信機３１の出力波長とは異なる波長）の光信号であってもよいし、主信号を低周波数成分で全波変調したものであってもよい。このような構成により、光伝送装置３０は、制御信号を光信号として出力することができる。なお、全ての端局において制御信号を出力する構成を採用する必要はない。但し、断線等の故障も考慮して冗長性をもたせるために複数の端局において制御信号を出力するような構成、つまり分岐装置１０が複数経路から制御信号を抽出できる構成を採用することが望ましい。
【００７５】
分岐装置１０は、光スイッチ群１１と、光伝送装置３０から光ファイバ伝送路を介して受信した光信号から制御信号を抽出する抽出部１２と、抽出された制御信号に従い、光スイッチ群１１を制御する制御部１ａと、を備えることができる。なお、光スイッチ群１１は、図６及び図７で示した光スイッチ１１−１〜８でなる。
【００７６】
抽出部１２は、光ファイバ毎に設けられてもよいし、ブランチ局からの入力側にも設けられてよい。抽出部１２が複数設けられる場合、制御部１ａは各抽出部１２に対応するよう複数設けられてもよい。抽出部１２は、光ファイバ伝送路を介して入力する光信号（主信号＋制御信号）から制御信号を抽出する。抽出部１２は、例えば、光カプラ（分岐カプラ）と制御信号を抽出する光フィルタの組み合わせにより構成されてもよい。光フィルタは、制御信号が主信号とは異なる波長を用いる場合は、当該波長を選択的に透過するフィルタとすることができ、制御信号が主信号に低周波成分を重畳したものであれば、ローパスフィルタとすることができる。
【００７７】
制御部１ａは、上述のように端局からの制御信号を受け取ったことに応じて、光スイッチ群１１を制御する。つまり、制御部１ａによる切替制御は、次のような制御信号に基づき実行されることができる。即ち、上記制御信号は、上記複数の第１光ファイバ伝送路、上記複数の第２光ファイバ伝送路、及び上記第３光ファイバ伝送路におけるそれぞれの光ファイバ伝送路で光伝送された波長多重光信号から抽出可能な信号である。特に、上述した通り、上記制御信号は、これらの光ファイバ伝送路のうち、少なくとも２つ以上の光ファイバ伝送路で光伝送された波長多重光信号から抽出可能な信号であることが、冗長性をもたせる意味で好ましいと言える。
【００７８】
但し、制御部１ａは、その他の経路（データ通信経路とは異なる経路）から電気信号又は光信号として受信した制御信号に基づき、光スイッチ群１１を制御するように構成することもできる。
【００７９】
若しくは、制御部１ａは、分岐装置１０の外部給電の変化に応じて光スイッチ群１１を制御するように構成することもできる。この場合、分岐装置１０は、各端局からの外部給電の有無を検知する検知部を備えておく。そして、制御部１ａは、例えばトランク局間での外部給電が途切れたと検知された場合、トランク回線をブランチ回線に落とすようにスイッチ群１１を制御することができる。
【００８０】
また、図６〜図８で説明したシステムにおいて、分岐装置１０を、光スイッチ１１−１〜８のうち、上り方向に必要な光スイッチ１１−１〜４のみを備えた構成にすることや、下り方向に必要な光スイッチ１１−５〜８のみを備えた構成にすることもできる。
【００８１】
次に、比較例に係る海底光ケーブルシステム（以下、比較システム）について、図１０を参照しながら説明する。図１０は、比較システムの構成を示す図である。比較システムでは、トランク回線の全てにブランチ回線への切り替え機能を搭載している。具体的には、比較システムにおける各構成要素は、その説明を省略するが、図６等で例示した本システムの各構成要素に対応し、本システムの各構成要素の符号に１００を加算した符号で示している。例えば、比較システムでは、分岐のために分岐装置１１０を備える。
【００８２】
但し、比較システムでは、図１０に示すように、光スイッチ１１１−３，７として第１光スイッチを採用し、光スイッチ１１１−４，８として第３光スイッチを採用したものである。よって、比較システムでは、図１０に示す通り、全てのファイバペアを端局Ｃ（１２６）側へ落とすか、トランク局同士でファイバをスルーして端局Ｃ（１２６）側へ落とさないという形にしかできない。つまり、比較システムでは、本システムのように端局Ｃ（１２６）側へファイバペアを選択することができない。
【００８３】
また、このような構成を有する比較システムでは、本システムと比べて、それらの光スイッチ１１１−３，４，７，８と中継器Ｃ（１２５）を経由して端局Ｃ（１２６）とを接続するファイバペアが、分岐のために余計に必要になる。無論、これにより、比較システムでは、本システムと比べて、それらのファイバペアに挿入する中継器Ｃ（１２５）又はその内部の光増幅器も余計に必要となる。このように、比較システムでは、例えばトランク回線の数だけブランチ回線の数が必要であり、さらにブランチ回線のそれぞれに対応するブランチ回線上の海底機器が必要となり、コスト増となる。
【００８４】
以上のように、本実施形態によれば、実施形態１と同様に、端局間を複数の光ファイバ伝送路で接続する海底光ケーブルシステムにおいて、指定された光ファイバ伝送路を分岐用の第３光ファイバ伝送路に接続させることができる。本システムでは、これにより分岐させる側のファイバペアを減らすことができ、それにより中継器等の分岐側の装置を削減することができ、コストを削減することができる。例えば、本実施形態に係る分岐装置１０を多数含む多ファイバペアのネットワークの構築時にも、余計なコストを心配せず、ネットワークのトラフックデマンドの変化に応じて、多ファイバペア間で信号のＡｄｄ／Ｄｒｏｐを柔軟に構成することが可能となる。そして、本システムでは、ネットワークの建設当時に、端局Ｃ（２６）側の中継器等の装置を削減することが可能となる。
【００８５】
特に、分岐装置１０内部の光スイッチの一部を２入力２出力の光スイッチにすることで、光スイッチの数を増やすことなく、端局Ｃ（２６）側に落とすファイバペアを選択することができるようになり、この点でもコストを削減することができる。
【００８６】
＜実施形態３＞
実施形態３について、図１１及び図１２を併せて参照しながら、実施形態２との相違点を中心に説明する。但し、実施形態３は、適宜、実施形態１，２で説明した様々な例が適用できる。図１１及び図１２は、実施形態３に係る海底光ケーブルシステムの一構成例を示す図である。
【００８７】
図１１に示す海底光ケーブルシステム（以下、本システム）は、図６に示すシステムにおいて、分岐装置１０と中継器Ｃ（２５）との間に、つまり分岐側（例えばブランチ回線側）に、合分波装置２７を挿入したものである。
【００８８】
合分波装置２７は、ＷＳＳ（Wavelength Selective Switch）２８−１，２を有することができ、また、図示しないが光フィルタを有することもできる。ＷＳＳ２８−１，２（及び光フィルタ）は、波長選択を行う選択部の例である。ここで例示するように、第３端局へと繋がる第３光ファイバ伝送路に接続する海底装置は、後段に出力する波長を選択する機能を有する合分波装置２７とその端局Ｃ（２３）側の中継器（中継装置）Ｃ（２６とすることができる。なお、光ケーブルの長さによっては、中継器Ｃ（２５）は不要な場合もある。特に、接続先の切り替えには、後段に出力する波長を選択する必要が生じるが、合分波装置２７を備えておくことでそれに対応し、特定のファイバペアによって波長単位での光合分波させることが可能となる。
【００８９】
ＷＳＳ２８−１は、端局Ａ（２１）と端局Ｃ（２３）との接続における下り信号用に、光スイッチ１１−７の端子ｄと中継器Ｃ（２６）との間に接続されることができる。また、ＷＳＳ２８−１は、端局Ｃ（２３）と端局Ｂ（２２）との接続における下り信号用に、光スイッチ１１−８の端子ｄと中継器Ｃ（２６）との間に接続されることができる。
【００９０】
ＷＳＳ２８−２は、端局Ａ（２１）と端局Ｃ（２３）との接続における上り信号用に、光スイッチ１１−３の端子ｄと中継器Ｃ（２６）との間に接続されることができる。また、ＷＳＳ２８−２は、端局Ｃ（２３）と端局Ｂ（２２）との接続における上り信号用に、光スイッチ１１−４の端子ｄと中継器Ｃ（２６）との間に接続される。このような構成により、本システムは、図１１に示すように、図６で説明したような接続状態にすることができる。
【００９１】
また、本システムは、図１２に示すように、図７で説明したような接続状態にすることができる。また、図示しないが、本システムは、図８で説明したような基本的な接続状態を採ることもできる。
【００９２】
光スイッチの切替制御については、図６〜図８を参照しながら説明した通りである。具体的には、図６〜図８の接続状態で説明した、分岐装置１０から中継器Ｃ（２５）への接続が分岐装置１０からＷＳＳ２８−１又はＷＳＳ２８−２への接続となるだけである。また、合分波装置２７は、分岐装置１０の制御部１ａと同様に、制御信号を光信号等から取得して、その制御信号に基づき波長選択等の制御を行うことができる。この制御は、光スイッチの切替制御に合わせて、適切に必要な波長の光信号を送信先に伝送するように行えばよい。
【００９３】
図１１の接続状態では、１つ目のファイバペアについて、次のように制御されることができる。即ち、ＷＳＳ２８−１が端局Ｂ（２２）から出力される波長を端局Ｃ（２３）側に透過できるように制御するとともに、ＷＳＳ２８−１が端局Ｃ（２３）から出力される波長を端局Ａ（２１）側に透過できるように制御する。また、ＷＳＳ２８−２が端局Ａ（２１）から出力される波長を端局Ｃ（２３）側に透過できるように制御するとともに、ＷＳＳ２８−２が端局Ｃ（２３）から出力される波長を端局Ｂ（２２）側に透過できるように制御する。
【００９４】
図１２の接続状態では、２つ目のファイバペアについて、次のように制御されることができる。即ち、ＷＳＳ２８−１が端局Ｂ（２２）から出力される波長を端局Ｃ（２３）側に透過できるように制御するとともに、ＷＳＳ２８−１が端局Ｃ（２３）から出力される波長を端局Ａ（２１）側に透過できるように制御する。また、ＷＳＳ２８−２が端局Ａ（２１）から出力される波長を端局Ｃ（２３）側に透過できるように制御するとともに、ＷＳＳ２８−２が端局Ｃ（２３）から出力される波長を端局Ｂ（２２）側に透過できるように制御する。
【００９５】
また、図１１及び図１２で説明したシステムにおいて、分岐装置１０を、光スイッチ１１−１〜８のうち、上り方向に必要な光スイッチ１１−１〜４のみを備えた構成にすることや、下り方向に必要な光スイッチ１１−５〜８のみを備えた構成にすることもできる。
【００９６】
以上、本実施形態によれば、実施形態２による効果に加えて、分岐させる場合やそれを戻す場合に、適切に必要な波長の光信号を送信先に伝送することができる。
【００９７】
＜実施形態４＞
実施形態４について、図１３を併せて参照しながら、実施形態１との相違点を中心に説明する。但し、実施形態４は、適宜、実施形態１〜３で説明した様々な例が適用できる。図１３は、実施形態４に係る海底光分岐装置を備えた海底光ケーブルシステムの一構成例を示す概略図である。
【００９８】
図１３に示すように、本実施形態に係る海底光ケーブルシステム（以下、本システム）は、第１端局２１、第２端局２２、及び第３端局２３を備えるとともに、それらを分岐する海底光分岐装置３を備えることができる。
【００９９】
海底光分岐装置３は、図２の制御部１ａに対応する制御部３ａを備えるとともに、図２の切替部１ｂに対応する切替部３ｂを備えることができる。切替部３ｂは、切替部１ｂの機能に加え、第３端局２３に接続する１又は複数の第４光ファイバ伝送路に接続されることができる。この場合、切替部３ｂは、上記複数の第１光ファイバ伝送路のいずれか１つを、上記第４光ファイバ伝送路に接続するように切り替える機能を有することができる。制御部３ａは、制御部１ａと比較してこのような切り替えの制御も行うことができるようになっている。
【０１００】
換言すれば、本システムでは、上述した第３光ファイバ伝送路を複数設けておくことができ、これを第４光ファイバ伝送路として説明している。よって、第４光ファイバ伝送路も第３光ファイバ伝送路と同様に実施形態２で説明したような海底装置等を挿入しておくことができる。
【０１０１】
さらに、本実施形態では、第３光ファイバ伝送路への接続機能と同様に、切替部３ｂは、上記複数の第２光ファイバ伝送路のいずれか１つを、上記第４光ファイバ伝送路に接続するように切り替える機能を有することもできる。
【０１０２】
なお、第３端局２３に接続する第４光ファイバ伝送路を考慮することは、実施形態２において、ファイバペアにおける各光ファイバをそれぞれの光ファイバ伝送路と見做した場合に相当すると言うこともできる。よって、この点を考慮すれば、本実施形態においても、実施形態２のような具体的な構成についての説明を援用することができると言える。
【０１０３】
以上、本実施形態によれば、第１〜第３のいずれかの実施形態による効果に加えて、複数の伝送路を第３端局に分岐させることができ、また、それにより挿入する海底装置の数の低減効果もより得られる。
【０１０４】
＜実施形態５＞
実施形態５について、図１４を併せて参照しながら、実施形態１との相違点を中心に説明する。但し、実施形態５は、適宜、実施形態１〜４で説明した様々な例が適用できる。図１４は、実施形態５に係る海底光分岐装置を備えた海底光ケーブルシステムの一構成例を示す概略図である。
【０１０５】
図１４に示すように、本実施形態に係る海底光ケーブルシステム（以下、本システム）は、図２の海底光分岐装置１として、本体部１−１、第１端局２１側の光スイッチ部１−２ｂ、及び第２端局２２側の光スイッチ部１−３ｂを別個の筐体として備えることができる。図１４では、光スイッチ部１−２ｂを備える筐体の装置１−２に、光スイッチ部１−２ｂを制御する制御部１−２ａを備え、光スイッチ部１−３ｂを備える筐体の装置１−３に、光スイッチ部１−３ｂを制御する制御部１−３ａを備えた例を挙げている。このように、図２の切替部１ｂは、本体とは別筐体として第１端局２１側に備えられた第１切替装置と、本体及び第１切替装置とは別筐体として第２端局２２側に備えられた第２切替装置と、を有することができる。第１光切替装置は光スイッチ部１−３ｂを備えた装置１−３で例示したもので、第２光切替装置は光スイッチ部１−２ｂを備えた装置１−２で例示したものである。
【０１０６】
本体部１−１は、制御部１ａ及び分岐経路１−１ｂを有するとともに、例えば電力供給のための回路等を有することができ、光信号に関する選択的な切替機能を１つも備えないことができる。例えば、光スイッチ部１−２ｂは、第１光ファイバ伝送路の切り替えを行う光スイッチを有し、光スイッチ部１−３ｂは、第２光ファイバ伝送路の切り替えを行う光スイッチを有することができる。なお、光スイッチ部１−２ｂと光スイッチ部１−３ｂとの内部のスイッチの配分はこれ以外の組合せであってもよく、光スイッチ部１−２ｂと光スイッチ部１−３ｂとで合わせて必要な光スイッチが存在していればよい。また、内部のスイッチの配分は、光スイッチ部１−２ｂと光スイッチ部１−３ｂとのいずれか一方に集約することができ、例えば装置１−２又は装置１−３のいずれか一方を省略するような構成も採用できる。
【０１０７】
また、光スイッチ部１−２ｂ（及び制御部１−２ａ）は、第１端局２１と本体部１−１との間に挿入される中継装置などの他の海底機器に備えておくこともできる。同様に、光スイッチ部１−３ｂ（及び制御部１−３ａ）は、本体部１−１と第２端局２２との間に挿入される中継装置などの他の海底機器に備えておくこともできる。また、第３端局２３側に、別個の筐体として、光スイッチ部又は光スイッチ部及び制御部を備えることもできる。
【０１０８】
以上、本実施形態によれば、第１〜第４のいずれかの実施形態による効果に加えて、海底光分岐装置を構成する本体部等の各部の筐体を小型化でき、特に光ケーブルの敷設時や回収時の巻き取り作業を容易にすることができる。
【０１０９】
＜実施形態６＞
実施形態６について、図１５〜図１８を併せて参照しながら、実施形態２との相違点を中心に説明する。但し、実施形態６は、適宜、実施形態１〜５で説明した様々な例が適用できる。図１５〜図１８は、実施形態６に係る海底光分岐装置を備えた海底光ケーブルシステムの一構成例を示す概略図である。
【０１１０】
図１５に示すように、本実施形態に係る海底光ケーブルシステム（以下、本システム）は、３つの第１光ファイバ伝送路と３つの第２光ファイバ伝送路とにより、端局Ａ（２１）と端局Ｂ（２２）とが接続され、端局Ｃ（２３）への分岐が可能となっている。
【０１１１】
図１５に示すように、本システムにおける分岐装置１０ａは、図６の分岐装置１０において、光スイッチ１１−９〜１２を追加したものである。分岐装置１０ａは、上り方向に関し、光スイッチ１１−９を光スイッチ１１−３の端子ｄと中継器Ｃ（２６）との間に接続し、光スイッチ１１−１０を光スイッチ１１−４の端子ｄと中継器Ｃ（２６）との間に接続している。また、分岐装置１０ａは、下り方向に関し、光スイッチ１１−１２を光スイッチ１１−８の端子ｄと中継器Ｃ（２６）との間に接続し、光スイッチ１１−１１を光スイッチ１１−７の端子ｄと中継器Ｃ（２６）との間に接続している。
【０１１２】
本システムにおいては、追加された光スイッチの制御が加わることになるものの、光スイッチの切替制御については、基本的に図６〜図８を参照しながら説明した説明が援用でき、その詳細な説明は省略し、概略的に説明する。
【０１１３】
図１５では、端局Ａ（２１）から送信／受信される信号ＦＰ１Ｕ／ＦＰ１Ｄの媒体となる１つ目のファイバペアは、端局Ａ（２１）と端局Ｃ（２３）との間での双方向通信と、端局Ｃ（２３）と端局Ｂ（２２）との間での双方向通信と、を行うように接続されている。また、図１５では、端局Ａ（２１）から送信／受信される信号ＦＰ２Ｕ／ＦＰ２Ｄの媒体となる２つ目のファイバペアは、端局Ａ（２１）と端局Ｂ（２２）との間での双方向通信を行うように接続されている。また、図１５では、端局Ａ（２１）から送信／受信される信号ＦＰ３Ｕ／ＦＰ３Ｄの媒体となる３つ目のファイバペアは、端局Ａ（２１）と端局Ｂ（２２）との間での双方向通信を行うように接続されている。
【０１１４】
分岐装置１０ａは、図１５に示した接続状態から図１６〜図１８に示した接続状態のいずれかに選択的に切り替えることができ、またそれを元に戻すこともできる。このような切替も含め、本システムでは、これらの接続状態はいずれか１つから他の１つに選択的に切り替えることができる。
【０１１５】
図１６に示す接続状態では、図１５に示す接続状態と比べて端局Ｃ（２３）への接続を行うファイバペアが異なり、２つ目のファイバペアとなっている。つまり、図１６に示す接続状態は、図１５に示す接続状態から、端局Ｃ（２３）に接続するファイバペアを１つ目から２つ目に入れ替えたものである。
【０１１６】
図１６では、端局Ａ（２１）から送信／受信される信号ＦＰ２Ｕ／ＦＰ２Ｄの媒体となる２つ目のファイバペアは、端局Ａ（２１）と端局Ｃ（２３）との間での双方向通信と、端局Ｃ（２３）と端局Ｂ（２２）との間での双方向通信と、を行うように接続されている。また、図１６では、端局Ａ（２１）から送信／受信される信号ＦＰ１Ｕ／ＦＰ１Ｄの媒体となる１つ目のファイバペアは、端局Ａ（２１）と端局Ｂ（２２）との間での双方向通信を行うように接続されている。また、図１６では、端局Ａ（２１）から送信／受信される信号ＦＰ３Ｕ／ＦＰ３Ｄの媒体となる３つ目のファイバペアは、端局Ａ（２１）と端局Ｂ（２２）との間での双方向通信を行うように接続されている。
【０１１７】
図１７に示す接続状態では、図１５に示す接続状態と比べて端局Ｃ（２３）への接続を行うファイバペアが異なり、３つ目のファイバペアとなっている。つまり、図１７に示す接続状態は、図１５に示す接続状態から、端局Ｃ（２３）に接続するファイバペアを１つ目から３つ目に入れ替えたものである。
【０１１８】
図１７では、端局Ａ（２１）から送信／受信される信号ＦＰ３Ｕ／ＦＰ３Ｄの媒体となる３つ目のファイバペアは、端局Ａ（２１）と端局Ｃ（２３）との間での双方向通信と、端局Ｃ（２３）と端局Ｂ（２２）との間での双方向通信と、を行うように接続されている。また、図１７では、端局Ａ（２１）から送信／受信される信号ＦＰ１Ｕ／ＦＰ１Ｄの媒体となる１つ目のファイバペアは、端局Ａ（２１）と端局Ｂ（２２）との間での双方向通信を行うように接続されている。また、図１７では、端局Ａ（２１）から送信／受信される信号ＦＰ２Ｕ／ＦＰ２Ｄの媒体となる２つ目のファイバペアは、端局Ａ（２１）と端局Ｂ（２２）との間での双方向通信を行うように接続されている。
【０１１９】
また、その詳細は説明しないが、本システムは、例えば、図１５〜図１７の接続状態において、端局Ｃ（２３）と端局Ｂ（２２）との接続は行わないような接続状態とすることもできる。
【０１２０】
分岐装置１０ａは、図１５〜図１７に示した接続状態などから図１８に示す接続状態に切り替えることができ、またそれを元に戻すこともできる。図１８に示す接続状態は、基本的な接続状態と言え、いずれのファイバペアでも端局Ｃ（２３）への接続を行わないものである。
【０１２１】
図１８では、端局Ａ（２１）から送信／受信される信号ＦＰ１Ｕ／ＦＰ１Ｄの媒体となる１つ目のファイバペアは、端局Ａ（２１）と端局Ｂ（２２）との間での双方向通信を行うように接続されている。また、図１８では、端局Ａ（２１）から送信／受信される信号ＦＰ２Ｕ／ＦＰ２Ｄの媒体となる２つ目のファイバペアも、端局Ａ（２１）と端局Ｂ（２２）との間での双方向通信を行うように接続されている。また、図１８では、端局Ａ（２１）から送信／受信される信号ＦＰ３Ｕ／ＦＰ３Ｄの媒体となる３つ目のファイバペアも、端局Ａ（２１）と端局Ｂ（２２）との間での双方向通信を行うように接続されている。
【０１２２】
以上、本実施形態によれば、第１〜第５のいずれかの実施形態による効果に加えて、海底光ケーブルシステムにおいて、より多くの伝送路を含めるように拡張することができる。また、本実施形態では、３つの第１光ファイバ伝送路と３つの第２光ファイバ伝送路とを備えた例を挙げたが、４つ以上の第１光ファイバ伝送路とそれと同数の第２光ファイバ伝送路とを備えることもできる。例えば、実施形態２では２つのファイバペアで例示し、図１５〜図１では３つのファイバペアで例示したが、本システムでは、それより多くのファイバペアが含まれてもよい。
【０１２３】
＜実施形態７＞
実施形態７について、図１９を併せて参照しながら、実施形態１，２，４との相違点を中心に説明する。但し、実施形態７は、適宜、実施形態１〜６で説明した様々な例が適用できる。図１９は、実施形態７に係る海底光分岐装置を備えた海底光ケーブルシステムの一構成例を示す概略図である。
【０１２４】
図１９に示すように、本実施形態に係る海底光ケーブルシステム（以下、本システム）では、実施形態１で説明したような共有する形態と共有しない形態とを混在させている。以下、これらの共有の有無に分けて説明する。
【０１２５】
図１９に示すように、海底光分岐装置４は、図２の海底光分岐装置１内の切替部１ｂと同様の切替部４０ａと、図１４の海底光分岐装置３内の切替部４０と同様の構成の切替部４０ｂと、を共有する形態のために備えることができる。切替部４０ａ，４０ｂの数は問わない。切替部４０ａは、例えば、海底光分岐装置４に接続されたトランク回線のうち任意の２つについて、海底光分岐装置４に接続されたブランチ回線のうち１つのブランチ回線を共有することができる。切替部４０ｂは、例えば、海底光分岐装置４に接続されたトランク回線のうち任意の２つについて、海底光分岐装置４に接続されたブランチ回線のうち２つのブランチ回線を共有することができる。なお、切替部４０ａ，４０ｂで共有化するトランク回線はいずれも２本に限ったものではない。
【０１２６】
図１９に示すように、海底光分岐装置４は、比較例に係る図１０の分岐装置１１０内のスイッチ群と同様の切替部（比較例の切替部）１１１ａを共有しない形態のために備えることができる。切替部１１１ａの数は問わない。切替部１１１ａは、例えば、海底光分岐装置４に接続されたトランク回線のうち任意の２つについて、海底光分岐装置４に接続されたブランチ回線のうち２つのブランチ回線を共有せずに接続させることができる。つまり、切替部１１１ａでは、１つのトランク回線につきそれに対応する１つのブランチ回線が存在するように分岐させることができる。なお、各切替部４０ａ，４０ｂ，１１１ａにおいて、制御部は一部又は全てを共通化することもできる。
【０１２７】
以上、本実施形態によれば、第１〜第６のいずれかの実施形態による効果に加えて、海底光ケーブルシステムを、コストや設置時期などに応じて適宜、必要な装置を選択しながら構築していくことができる。
【０１２８】
＜他の実施形態＞
上述した各実施形態では、海底光分岐装置や海底光ケーブルシステムの各部の機能について説明したが、海底光分岐装置や海底光ケーブルシステムとしてこれらの機能が実現できればよい。また、上述した各実施形態では、海底光ケーブルシステムの構成について例示したが、例示したものに限ったものではない。また、各実施形態において説明した様々な例は、適宜組み合わせることができる。
【０１２９】
また、各実施形態に係る海底光分岐装置は、次のようなハードウェア構成を有することができる。図２０は、各実施形態に係る海底光分岐装置の一部のハードウェア構成の一例を示す図である。
【０１３０】
図２０に示す海底光分岐装置１００は、プロセッサ１０１、メモリ１０２、及びインタフェース１０３を有する。インタフェース１０３は、図示しない光スイッチ等の切替部とのインタフェースとすることができる。各実施形態で説明した各部の機能は、プロセッサ１０１がメモリ１０２に記憶されたプログラムを読み込んで、インタフェース１０３と協働しながら実行することにより実現される。このプログラムは、各実施形態で説明したプログラムとすることができる。
【０１３１】
上述の例において、上記プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、上記プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１３２】
なお、本開示は上述した様々な実施形態に限られたものではなく、趣旨を逸脱しない範囲で適宜変更することが可能である。また、本開示は、それぞれの実施形態を適宜組み合わせて実施されてもよい。
【０１３３】
上記の実施形態の一部又は全部は、以下の付記のようにも記載されうるが、以下には限られない。
＜付記＞
【０１３４】
（付記１）
第１端局に接続する複数の第１光ファイバ伝送路と、第２端局に接続する複数の第２光ファイバ伝送路と、第３端局に接続する第３光ファイバ伝送路と、に接続し、波長多重光信号の伝送経路を切り替える切替部と、
前記切替部による前記伝送経路の切り替えを制御する制御部と、
を備え、
前記切替部は、前記複数の第１光ファイバ伝送路のそれぞれを前記複数の第２光ファイバ伝送路のそれぞれに接続する機能と、前記複数の第１光ファイバ伝送路のいずれか１つを、前記第３光ファイバ伝送路に接続するように切り替える機能と、を有する、
海底光分岐装置。
【０１３５】
（付記２）
前記切替部は、１つの入力経路及び２つの出力経路を有する第１光スイッチと、２つの入力経路及び２つの出力経路を有する第２光スイッチと、を多段に接続した構成を有する、
付記１に記載の海底光分岐装置。
【０１３６】
（付記３）
前記切替部は、前記複数の第２光ファイバ伝送路のいずれか１つを、前記第３光ファイバ伝送路に接続するように切り替える機能を有する、
付記１に記載の海底光分岐装置。
【０１３７】
（付記４）
前記切替部は、２つの入力経路及び２つの出力経路を有する第２光スイッチと、２つの入力経路及び１つの出力経路を有する第３光スイッチと、を多段に接続した構成を有する、
付記３に記載の海底光分岐装置。
【０１３８】
（付記５）
前記切替部は、１つの入力経路及び２つの出力経路を有する第１光スイッチと、２つの入力経路及び２つの出力経路を有する第２光スイッチと、２つの入力経路及び１つの出力経路を有する第３光スイッチと、を多段に接続した構成を有する、
付記３に記載の海底光分岐装置。
【０１３９】
（付記６）
前記複数の第１光ファイバ伝送路、前記複数の第２光ファイバ伝送路、及び前記第３光ファイバ伝送路におけるそれぞれの光ファイバ伝送路は、前記第１端局側から情報を光伝送するための光ファイバと前記第１端局側へ情報を光伝送するための光ファイバとでなるファイバペアを有する、
付記１〜５のいずれか１項に記載の海底光分岐装置。
【０１４０】
（付記７）
前記制御部による前記切替部の制御は、前記複数の第１光ファイバ伝送路、前記複数の第２光ファイバ伝送路、及び前記第３光ファイバ伝送路におけるそれぞれの光ファイバ伝送路のうち、少なくとも２つ以上の光ファイバ伝送路で光伝送された波長多重光信号から抽出可能な制御信号に基づき実行される、
付記１〜６のいずれか１項に記載の海底光分岐装置。
【０１４１】
（付記８）
前記第３光ファイバ伝送路には、前記海底光分岐装置と前記第３端局との間に海底設置用の装置である海底装置が接続されている、
付記１〜７のいずれか１項に記載の海底光分岐装置。
【０１４２】
（付記９）
前記海底装置は、後段に出力する波長を選択する機能を有する合分波装置である、
付記８に記載の海底光分岐装置。
【０１４３】
（付記１０）
前記第３光ファイバ伝送路には、前記海底装置として、後段に出力する波長を選択する機能を有する合分波装置と、前記合分波装置の前記第３端局側に配された中継装置と、が接続されている、
付記８に記載の海底光分岐装置。
【０１４４】
（付記１１）
前記切替部は、
さらに、前記第３端局に接続する第４光ファイバ伝送路に接続されており、且つ、
前記複数の第１光ファイバ伝送路のいずれか１つを、前記第４光ファイバ伝送路に接続するように切り替える機能を有する、
付記１〜１０のいずれか１項に記載の海底光分岐装置。
【０１４５】
（付記１２）
前記切替部は、前記海底光分岐装置の本体とは別筐体として前記第１端局側に備えられた第１切替装置と、前記海底光分岐装置の本体及び前記第１切替装置とは別筐体として前記第２端局側に備えられた第２切替装置と、を有する、
付記１〜１１のいずれか１項に記載の海底光分岐装置。
【０１４６】
（付記１３）
第１端局と、
第２端局と、
第３端局と、
海底光分岐装置と、
前記第１端局に前記海底光分岐装置を接続する複数の第１光ファイバ伝送路と、
前記第２端局に前記海底光分岐装置を接続する複数の第２光ファイバ伝送路と、
前記第３端局に前記海底光分岐装置を接続する第３光ファイバ伝送路と、
を備え、
前記海底光分岐装置は、
前記複数の第１光ファイバ伝送路と前記複数の第２光ファイバ伝送路と前記第３光ファイバ伝送路とに接続し、波長多重光信号の伝送経路を切り替える切替部と、
前記切替部による前記伝送経路の切り替えを制御する制御部と、
を備え、
前記切替部は、前記複数の第１光ファイバ伝送路のそれぞれを前記複数の第２光ファイバ伝送路のそれぞれに接続する機能と、前記複数の第１光ファイバ伝送路のいずれか１つを、前記第３光ファイバ伝送路に接続するように切り替える機能と、を有する、
海底光ケーブルシステム。
【０１４７】
（付記１４）
前記切替部は、１つの入力経路及び２つの出力経路を有する第１光スイッチと、２つの入力経路及び２つの出力経路を有する第２光スイッチと、を多段に接続した構成を有する、
付記１３に記載の海底光ケーブルシステム。
【０１４８】
（付記１５）
前記切替部は、前記複数の第２光ファイバ伝送路のいずれか１つを、前記第３光ファイバ伝送路に接続するように切り替える機能を有する、
付記１３に記載の海底光ケーブルシステム。
【０１４９】
（付記１６）
前記切替部は、２つの入力経路及び２つの出力経路を有する第２光スイッチと、２つの入力経路及び１つの出力経路を有する第３光スイッチと、を多段に接続した構成を有する、
付記１５に記載の海底光ケーブルシステム。
【０１５０】
（付記１７）
前記切替部は、１つの入力経路及び２つの出力経路を有する第１光スイッチと、２つの入力経路及び２つの出力経路を有する第２光スイッチと、２つの入力経路及び１つの出力経路を有する第３光スイッチと、を多段に接続した構成を有する、
付記１５に記載の海底光ケーブルシステム。
【０１５１】
（付記１８）
前記複数の第１光ファイバ伝送路、前記複数の第２光ファイバ伝送路、及び前記第３光ファイバ伝送路におけるそれぞれの光ファイバ伝送路は、前記第１端局側から情報を光伝送するための光ファイバと前記第１端局側へ情報を光伝送するための光ファイバとでなるファイバペアを有する、
付記１３〜１７のいずれか１項に記載の海底光ケーブルシステム。
【０１５２】
（付記１９）
前記制御部による前記切替部の制御は、前記複数の第１光ファイバ伝送路、前記複数の第２光ファイバ伝送路、及び前記第３光ファイバ伝送路におけるそれぞれの光ファイバ伝送路のうち、少なくとも２つ以上の光ファイバ伝送路で光伝送された波長多重光信号から抽出可能な制御信号に基づき実行される、
付記１３〜１８のいずれか１項に記載の海底光ケーブルシステム。
【０１５３】
（付記２０）
前記第３光ファイバ伝送路における、前記海底光分岐装置と前記第３端局との間に接続された海底設置用の装置である海底装置を備える、
付記１３〜１９のいずれか１項に記載の海底光ケーブルシステム。
【０１５４】
（付記２１）
前記海底装置は、後段に出力する波長を選択する機能を有する合分波装置である、
付記２０に記載の海底光ケーブルシステム。
【０１５５】
（付記２２）
前記第３光ファイバ伝送路に接続された前記海底装置として、後段に出力する波長を選択する機能を有する合分波装置と、前記合分波装置の前記第３端局側に接続された中継装置と、を備える、
付記２０に記載の海底光ケーブルシステム。
【０１５６】
（付記２３）
前記切替部は、
さらに、前記第３端局に接続する第４光ファイバ伝送路に接続されており、且つ、
前記複数の第１光ファイバ伝送路のいずれか１つを、前記第４光ファイバ伝送路に接続するように切り替える機能を有する、
付記１３〜２２のいずれか１項に記載の海底光ケーブルシステム。
【０１５７】
（付記２４）
前記切替部は、前記海底光分岐装置の本体とは別筐体として前記第１端局側に備えられた第１切替装置と、前記海底光分岐装置の本体及び前記第１切替装置とは別筐体として前記第２端局側に備えられた第２切替装置と、を有する、
付記１３〜２３のいずれか１項に記載の海底光ケーブルシステム。
【０１５８】
（付記２５）
第１端局に海底光分岐装置を接続する複数の第１光ファイバ伝送路と、第２端局に前記海底光分岐装置を接続する複数の第２光ファイバ伝送路と、第３端局に前記海底光分岐装置を接続する第３光ファイバ伝送路と、に接続された、前記海底光分岐装置内の切替部を制御し、波長多重光信号の伝送経路を切り替える制御ステップを備え、
前記制御ステップは、前記複数の第１光ファイバ伝送路のそれぞれを前記複数の第２光ファイバ伝送路のそれぞれに接続するステップと、前記複数の第１光ファイバ伝送路のいずれか１つを、前記第３光ファイバ伝送路に接続するように切り替えるステップと、を有する、
切替方法。
【０１５９】
（付記２６）
前記切替部は、１つの入力経路及び２つの出力経路を有する第１光スイッチと、２つの入力経路及び２つの出力経路を有する第２光スイッチと、を多段に接続した構成を有し、
前記制御ステップは、前記第１光スイッチ及び前記第２光スイッチを制御することで、前記伝送経路を切り替える、
付記２５に記載の切替方法。
【０１６０】
（付記２７）
前記制御ステップは、前記複数の第２光ファイバ伝送路のいずれか１つを、前記第３光ファイバ伝送路に接続するように切り替えるステップを有する、
付記２５に記載の切替方法。
【０１６１】
（付記２８）
前記切替部は、２つの入力経路及び２つの出力経路を有する第２光スイッチと、２つの入力経路及び１つの出力経路を有する第３光スイッチと、を多段に接続した構成を有し、
前記制御ステップは、前記第２光スイッチ及び前記第３光スイッチを制御することで、前記伝送経路を切り替える、
付記２７に記載の切替方法。
【０１６２】
（付記２９）
前記切替部は、１つの入力経路及び２つの出力経路を有する第１光スイッチと、２つの入力経路及び２つの出力経路を有する第２光スイッチと、２つの入力経路及び１つの出力経路を有する第３光スイッチと、を多段に接続した構成を有し、
前記制御ステップは、前記第１光スイッチ、前記第２光スイッチ、及び前記第３光スイッチを制御することで、前記伝送経路を切り替える、
付記２７に記載の切替方法。
【０１６３】
（付記３０）
前記複数の第１光ファイバ伝送路、前記複数の第２光ファイバ伝送路、及び前記第３光ファイバ伝送路におけるそれぞれの光ファイバ伝送路は、前記第１端局側から情報を光伝送するための光ファイバと前記第１端局側へ情報を光伝送するための光ファイバとでなるファイバペアを有する、
付記２５〜２９のいずれか１項に記載の切替方法。
【０１６４】
（付記３１）
前記制御ステップは、前記複数の第１光ファイバ伝送路、前記複数の第２光ファイバ伝送路、及び前記第３光ファイバ伝送路におけるそれぞれの光ファイバ伝送路のうち、少なくとも２つ以上の光ファイバ伝送路で光伝送された波長多重光信号から抽出可能な制御信号に基づき実行される、
付記２５〜３０のいずれか１項に記載の切替方法。
【０１６５】
（付記３２）
前記第３光ファイバ伝送路には、前記海底光分岐装置と前記第３端局との間に海底設置用の装置である海底装置が接続されている、
付記２５〜３１のいずれか１項に記載の切替方法。
【０１６６】
（付記３３）
前記海底装置は、後段に出力する波長を選択する機能を有する合分波装置である、
付記３２に記載の切替方法。
【０１６７】
（付記３４）
前記第３光ファイバ伝送路には、前記海底装置として、後段に出力する波長を選択する機能を有する合分波装置と、前記合分波装置の前記第３端局側に配された中継装置と、が接続されている、
付記３２に記載の切替方法。
【０１６８】
（付記３５）
前記切替部は、さらに、前記第３端局に接続する第４光ファイバ伝送路に接続されており、
前記制御ステップは、前記複数の第１光ファイバ伝送路のいずれか１つを、前記第４光ファイバ伝送路に接続するように切り替えるステップを有する、
付記２５〜３４のいずれか１項に記載の切替方法。
【０１６９】
（付記３６）
前記切替部は、前記海底光分岐装置の本体とは別筐体として前記第１端局側に備えられた第１切替装置と、前記海底光分岐装置の本体及び前記第１切替装置とは別筐体として前記第２端局側に備えられた第２切替装置と、を有する、
付記２５〜３５のいずれか１項に記載の切替方法。
【０１７０】
（付記３７）
海底光分岐装置に備えられた制御コンピュータに、
第１端局に前記海底光分岐装置を接続する複数の第１光ファイバ伝送路と、第２端局に前記海底光分岐装置を接続する複数の第２光ファイバ伝送路と、第３端局に前記海底光分岐装置を接続する第３光ファイバ伝送路と、に接続された、前記海底光分岐装置内の切替部を制御し、波長多重光信号の伝送経路を切り替える制御ステップを、実行させるためのプログラムであって、
前記制御ステップは、前記複数の第１光ファイバ伝送路のそれぞれを前記複数の第２光ファイバ伝送路のそれぞれに接続するステップと、前記複数の第１光ファイバ伝送路のいずれか１つを、前記第３光ファイバ伝送路に接続するように切り替えるステップと、を有する、
プログラム。
【０１７１】
以上、実施の形態を参照して本願発明を説明したが、本願発明は上記によって限定されるものではない。本願発明の構成や詳細には、発明のスコープ内で当業者が理解し得る様々な変更をすることができる。
【０１７２】
この出願は、２０１９年３月２７日に出願された日本出願特願２０１９−０６１９０１を基礎とする優先権を主張し、その開示の全てをここに取り込む。
【符号の説明】
【０１７３】
１、３、４、１００  海底光分岐装置
１−１  本体部
１−２、１−３  装置
１−２ｂ，１−３ｂ  光スイッチ部
１−１ｂ  分岐経路
１ａ、１−２ａ、１−３ａ、３ａ  制御部
１ｂ、３ｂ、４０、４０ａ、４０ｂ、  切替部
１０、１０ａ  分岐装置
１１  スイッチ群
１１−１〜１１−１２、４１、４２、４３  光スイッチ
１１  光スイッチ群
１２  抽出部
２１  第１端局（端局Ａ）
２２  第２端局（端局Ｂ）
２３  第３端局（端局Ｃ）
２７  合分波装置
２８−１、２８−２  ＷＳＳ
３０  光伝送装置
３１  光送信機
３２  合波部
３３  制御信号生成部
１０１  プロセッサ
１０２  メモリ
１０３  インタフェース
１１１ａ  比較例の切替部
【図１】
2020194842.tif 000003
【図２】
2020194842.tif 000004
【図３】
2020194842.tif 000005
【図４】
2020194842.tif 000006
【図５】
2020194842.tif 000007
【図６】
2020194842.tif 000008
【図７】
2020194842.tif 000009
【図８】
2020194842.tif 000010
【図９】
2020194842.tif 000011
【図１０】
2020194842.tif 000012
【図１１】
2020194842.tif 000013
【図１２】
2020194842.tif 000014
【図１３】
2020194842.tif 000015
【図１４】
2020194842.tif 000016
【図１５】
2020194842.tif 000017
【図１６】
2020194842.tif 000018
【図１７】
2020194842.tif 000019
【図１８】
2020194842.tif 000020
【図１９】
2020194842.tif 000021
【図２０】
2020194842.tif 000022
【手続補正書】
【提出日】令和3年8月11日(2021.8.11)
【手続補正１】
【補正対象書類名】特許請求の範囲
【補正対象項目名】全文
【補正方法】変更
【補正の内容】
【特許請求の範囲】
【請求項１】
第１端局に接続する複数の第１光ファイバ伝送路と、第２端局に接続する複数の第２光ファイバ伝送路と、第３端局に接続する第３光ファイバ伝送路と、に接続し、波長多重光信号の伝送経路を切り替える切替手段と、
前記切替手段による前記伝送経路の切り替えを制御する制御手段と、
を備え、
前記切替手段は、前記複数の第１光ファイバ伝送路のそれぞれを前記複数の第２光ファイバ伝送路のそれぞれに接続する機能と、前記複数の第１光ファイバ伝送路のいずれか１つを、前記第３光ファイバ伝送路に接続するように切り替える機能と、を有する、
海底光分岐装置。
【請求項２】
前記切替手段は、１つの入力経路及び２つの出力経路を有する第１光スイッチと、２つの入力経路及び２つの出力経路を有する第２光スイッチと、を多段に接続した構成を有する、
請求項１に記載の海底光分岐装置。
【請求項３】
前記切替手段は、前記複数の第２光ファイバ伝送路のいずれか１つを、前記第３光ファイバ伝送路に接続するように切り替える機能を有する、
請求項１に記載の海底光分岐装置。
【請求項４】
前記切替手段は、２つの入力経路及び２つの出力経路を有する第２光スイッチと、２つの入力経路及び１つの出力経路を有する第３光スイッチと、を多段に接続した構成を有する、
請求項３に記載の海底光分岐装置。
【請求項５】
前記切替手段は、１つの入力経路及び２つの出力経路を有する第１光スイッチと、２つの入力経路及び２つの出力経路を有する第２光スイッチと、２つの入力経路及び１つの出力経路を有する第３光スイッチと、を多段に接続した構成を有する、
請求項３に記載の海底光分岐装置。
【請求項６】
前記複数の第１光ファイバ伝送路、前記複数の第２光ファイバ伝送路、及び前記第３光ファイバ伝送路におけるそれぞれの光ファイバ伝送路は、前記第１端局側から情報を光伝送するための光ファイバと前記第１端局側へ情報を光伝送するための光ファイバとでなるファイバペアを有する、
請求項１〜５のいずれか１項に記載の海底光分岐装置。
【請求項７】
前記制御手段による前記切替手段の制御は、前記複数の第１光ファイバ伝送路、前記複数の第２光ファイバ伝送路、及び前記第３光ファイバ伝送路におけるそれぞれの光ファイバ伝送路のうち、少なくとも２つ以上の光ファイバ伝送路で光伝送された波長多重光信号から抽出可能な制御信号に基づき実行される、
請求項１〜６のいずれか１項に記載の海底光分岐装置。
【請求項８】
第１端局と、
第２端局と、
第３端局と、
海底光分岐装置と、
前記第１端局に前記海底光分岐装置を接続する複数の第１光ファイバ伝送路と、
前記第２端局に前記海底光分岐装置を接続する複数の第２光ファイバ伝送路と、
前記第３端局に前記海底光分岐装置を接続する第３光ファイバ伝送路と、
を備え、
前記海底光分岐装置は、
前記複数の第１光ファイバ伝送路と前記複数の第２光ファイバ伝送路と前記第３光ファイバ伝送路とに接続し、波長多重光信号の伝送経路を切り替える切替手段と、
前記切替手段による前記伝送経路の切り替えを制御する制御手段と、
を備え、
前記切替手段は、前記複数の第１光ファイバ伝送路のそれぞれを前記複数の第２光ファイバ伝送路のそれぞれに接続する機能と、前記複数の第１光ファイバ伝送路のいずれか１つを、前記第３光ファイバ伝送路に接続するように切り替える機能と、を有する、
海底光ケーブルシステム。
【請求項９】
第１端局に海底光分岐装置を接続する複数の第１光ファイバ伝送路と、第２端局に前記海底光分岐装置を接続する複数の第２光ファイバ伝送路と、第３端局に前記海底光分岐装置を接続する第３光ファイバ伝送路と、に接続された、前記海底光分岐装置内の切替手段を制御し、波長多重光信号の伝送経路を切り替える制御ステップを備え、
前記制御ステップは、前記複数の第１光ファイバ伝送路のそれぞれを前記複数の第２光ファイバ伝送路のそれぞれに接続するステップと、前記複数の第１光ファイバ伝送路のいずれか１つを、前記第３光ファイバ伝送路に接続するように切り替えるステップと、を有する、
切替方法。
【請求項１０】
海底光分岐装置に備えられた制御コンピュータに実行させるためのプログラムであって、
前記プログラムは、
第１端局に前記海底光分岐装置を接続する複数の第１光ファイバ伝送路と、第２端局に前記海底光分岐装置を接続する複数の第２光ファイバ伝送路と、第３端局に前記海底光分岐装置を接続する第３光ファイバ伝送路と、に接続された、前記海底光分岐装置内の切替手段を制御し、波長多重光信号の伝送経路を切り替える制御ステップを、実行させるためのプログラムであって、
前記制御ステップは、前記複数の第１光ファイバ伝送路のそれぞれを前記複数の第２光ファイバ伝送路のそれぞれに接続するステップと、前記複数の第１光ファイバ伝送路のいずれか１つを、前記第３光ファイバ伝送路に接続するように切り替えるステップと、を有する、
プログラム。
【手続補正３】
【補正対象書類名】明細書
【補正対象項目名】００２１
【補正方法】変更
【補正の内容】
【００２１】
制御部１ａは、例えば、ＣＰＵ（Central Processing Unit）、作業用メモリ、及び海底光分岐装置１の全体を制御するためのプログラムを記憶した不揮発性の記憶装置などによって実現することができる。つまり、制御部１ａは、上記プログラムが実行可能に組み込まれた制御コンピュータを有することができる。また、制御部１ａは、例えば集積回路（Integrated Circuit）によって実現することもできる。
【手続補正４】
【補正対象書類名】明細書
【補正対象項目名】００５４
【補正方法】変更
【補正の内容】
【００５４】
第２双方向通信は、光スイッチ１１−２，４及び光スイッチ１１−６，８を図６に示したように切り替えておくことで実現できる。光スイッチ１１−２，４は、端局Ｃ（２３）から送信される信号ＦＰ１Ｕを端局Ｂ（２２）側へ導通させるように切り替える。これにより、端局Ｃ（２３）から送信された信号ＦＰ１Ｕを含む光は、中継器Ｃ（２６）、分岐装置１０内の光スイッチ１１−４の端子ｄ−ｃ間、及び光スイッチ１１−２の端子ｃ−ａ間を通じて、中継器Ｂ（２５）、端局Ｂ（２２）へと導通される。逆方向について、光スイッチ１１−６，８は、端局Ｂ（２２）から送信される信号ＦＰ１Ｄを端局Ｃ（２３）側へ落とす（導通させる）ように切り替える。これにより、端局Ｂ（２２）から送信された信号ＦＰ１Ｄを含む光は、中継器Ｂ（２５）を通じて分岐装置１０内に入り光スイッチ１１−６の端子ａ−ｃ間、光スイッチ１１−８の端子ｃ−ｄ間を通じて中継器Ｃ（２６）、端局Ｃ（２３）へと導通される。
【手続補正５】
【補正対象書類名】明細書
【補正対象項目名】００８７
【補正方法】変更
【補正の内容】
【００８７】
図１１に示す海底光ケーブルシステム（以下、本システム）は、図６に示すシステムにおいて、分岐装置１０と中継器Ｃ（２６）との間に、つまり分岐側（例えばブランチ回線側）に、合分波装置２７を挿入したものである。
【手続補正６】
【補正対象書類名】明細書
【補正対象項目名】００８８
【補正方法】変更
【補正の内容】
【００８８】
合分波装置２７は、ＷＳＳ（Wavelength Selective Switch）２８−１，２を有することができ、また、図示しないが光フィルタを有することもできる。ＷＳＳ２８−１，２（及び光フィルタ）は、波長選択を行う選択部の例である。ここで例示するように、第３端局へと繋がる第３光ファイバ伝送路に接続する海底装置は、後段に出力する波長を選択する機能を有する合分波装置２７とその端局Ｃ（２３）側の中継器（中継装置）Ｃ（２６）とすることができる。なお、光ケーブルの長さによっては、中継器Ｃ（２６）は不要な場合もある。特に、接続先の切り替えには、後段に出力する波長を選択する必要が生じるが、合分波装置２７を備えておくことでそれに対応し、特定のファイバペアによって波長単位での光合分波させることが可能となる。
【手続補正７】
【補正対象書類名】明細書
【補正対象項目名】００９２
【補正方法】変更
【補正の内容】
【００９２】
光スイッチの切替制御については、図６〜図８を参照しながら説明した通りである。具体的には、図６〜図８の接続状態で説明した、分岐装置１０から中継器Ｃ（２６）への接続が分岐装置１０からＷＳＳ２８−１又はＷＳＳ２８−２への接続となるだけである。また、合分波装置２７は、分岐装置１０の制御部１ａと同様に、制御信号を光信号等から取得して、その制御信号に基づき波長選択等の制御を行うことができる。この制御は、光スイッチの切替制御に合わせて、適切に必要な波長の光信号を送信先に伝送するように行えばよい。
【手続補正８】
【補正対象書類名】明細書
【補正対象項目名】０１０５
【補正方法】変更
【補正の内容】
【０１０５】
図１４に示すように、本実施形態に係る海底光ケーブルシステム（以下、本システム）は、図２の海底光分岐装置１として、本体部１−１、第１端局２１側の光スイッチ部１−２ｂ、及び第２端局２２側の光スイッチ部１−３ｂを別個の筐体として備えることができる。図１４では、光スイッチ部１−２ｂを備える筐体の装置１−２に、光スイッチ部１−２ｂを制御する制御部１−２ａを備え、光スイッチ部１−３ｂを備える筐体の装置１−３に、光スイッチ部１−３ｂを制御する制御部１−３ａを備えた例を挙げている。このように、図２の切替部１ｂは、本体とは別筐体として第１端局２１側に備えられた第１切替装置と、本体及び第１切替装置とは別筐体として第２端局２２側に備えられた第２切替装置と、を有することができる。第１切替装置は光スイッチ部１−２ｂを備えた装置１−２で例示したもので、第２切替装置は光スイッチ部１−３ｂを備えた装置１−３で例示したものである。
【手続補正９】
【補正対象書類名】明細書
【補正対象項目名】０１２２
【補正方法】変更
【補正の内容】
【０１２２】
以上、本実施形態によれば、第１〜第５のいずれかの実施形態による効果に加えて、海底光ケーブルシステムにおいて、より多くの伝送路を含めるように拡張することができる。また、本実施形態では、３つの第１光ファイバ伝送路と３つの第２光ファイバ伝送路とを備えた例を挙げたが、４つ以上の第１光ファイバ伝送路とそれと同数の第２光ファイバ伝送路とを備えることもできる。例えば、実施形態２では２つのファイバペアで例示し、図１５〜図１８では３つのファイバペアで例示したが、本システムでは、それより多くのファイバペアが含まれてもよい。
【国際調査報告】
2020194842.tif 000023
2020194842.tif 000024
2020194842.tif 000025
2020194842.tif 000026